(57)【要約】  ＨＳ−ＤＳＣＨ（高速ダウンリンク共有チャネル）を介して共通論理チャネル伝送および専用論理チャネル伝送を送受信するための方法および装置が、開示される。ＭＡＣ（媒体アクセス制御）−ｈｓエンティティが、ＭＡＣ−ｃ／ｓｈ／ｍ  ＰＤＵおよび／またはＭＡＣ−ｄ  ＰＤＵを搬送するＭＡＣ−ｈｓ  ＰＤＵ（プロトコルデータユニット）を生成する。ＵＥ固有のＨ−ＲＮＴＩ（ＨＳ−ＤＳＣＨ無線ネットワーク一時識別子）が、ＭＡＣ−ｄ  ＰＤＵに関して使用されることが可能であり、セル固有のＨ−ＲＮＴＩが、ＭＡＣ−ｃ／ｓｈ／ｂ  ＰＤＵに関して使用されることが可能である。代替として、Ｃｅｌｌ＿ＦＡＣＨ状態において、セル固有のＨ−ＲＮＴＩ、およびＣ−ＲＮＴＩ（セルＲＮＴＩ）とＵ−ＲＮＴＩ（ユニバーサル地上無線アクセスネットワークＲＮＴＩ）のいずれかが使用されてもよい。論理チャネルタイプおよび論理チャネルＩＤは、ＭＡＣ−ｈｓ  ＰＤＵヘッダの中に挿入される、または別個のＨ−ＲＮＴＩによって示されることが可能である。共通論理チャネルに関する論理チャネルタイプは、ＭＡＣ−ｃ／ｓｈ／ｍ  ＰＤＵヘッダの中で識別されることが可能である。論理チャネルタイプおよび論理チャネルＩＤは、キューＩＤによって識別されることが可能である。
2010516087.tif 000002
【特許請求の範囲】
【請求項１】
ＨＳ−ＤＳＣＨ（高速ダウンリンク共有チャネル）を介して共通論理チャネル伝送および専用論理チャネル伝送を送信するためのノードＢであって、
共通論理チャネルＳＤＵ（サービスデータユニット）に関するＭＡＣ（媒体アクセス制御）−ｃ／ｓｈ／ｍ  ＰＤＵ（プロトコルデータユニット）と専用論理チャネルＳＤＵに関するＭＡＣ−ｄ  ＰＤＵの少なくともいずれかを搬送するＭＡＣ−ｈｓ  ＰＤＵとを生成し、かつＨＳ−ＤＳＣＨを介して前記ＭＡＣ−ｈｓ  ＰＤＵをＵＥ（ユーザ機器）に送信するためのエンティティであって、前記ＭＡＣ−ｄ  ＰＤＵが宛先とするＵＥを識別するためにＵＥ固有のＨ−ＲＮＴＩ（ＨＳ−ＤＳＣＨ無線ネットワーク一時識別子）を使用し、前記ＭＡＣ−ｃ／ｓｈ／ｍ  ＰＤＵが宛先とするＵＥを識別するためにセル固有のＨ−ＲＮＴＩを使用するＭＡＣ−ｈｓエンティティと、
前記ＭＡＣ−ｈｓ  ＰＤＵを送信するための物理層と
を含むことを特徴とするノードＢ。
【請求項２】
前記ＭＡＣ−ｈｓエンティティは、ＭＡＣ−ｈｓ  ＰＤＵヘッダの中に論理チャネルタイプと論理チャネルＩＤの少なくともいずれか挿入することを特徴とする請求項１に記載のノードＢ。
【請求項３】
複数の論理チャネルが、１つのＭＡＣ−ｈｓ  ＰＤＵの中に多重化され、複数の論理チャネルタイプ、および複数の論理チャネルＩＤが、前記ＭＡＣ−ｈｓ  ＰＤＵヘッダの中に挿入されることを特徴とする請求項２に記載のノードＢ。
【請求項４】
前記ＵＥが、Ｃｅｌｌ＿ＰＣＨ状態とＵＲＡ＿ＰＣＨ状態のいずれかにある場合、論理チャネルタイプが、ＰＣＣＨ（ページング制御チャネル）であると暗黙的に示されることを特徴とする請求項１に記載のノードＢ。
【請求項５】
前記ＭＡＣ−ｈｓエンティティは、別個のＨ−ＲＮＴＩを選択して論理チャネルタイプおよび論理チャネルＩＤを識別することを特徴とする請求項１に記載のノードＢ。
【請求項６】
前記ＭＡＣ−ｈｓエンティティは、別個のＨ−ＲＮＴＩを選択して論理チャネルタイプを識別し、論理チャネルＩＤを示す論理チャネルＩＤフィールドをＭＡＣ−ｈｓ  ＰＤＵヘッダの中に挿入することを特徴とする請求項１に記載のノードＢ。
【請求項７】
前記共通論理チャネルに関する論理チャネルタイプが、ＭＡＣ−ｃ／ｓｈ／ｍ  ＰＤＵヘッダの中で識別されることを特徴とする請求項１に記載のノードＢ。
【請求項８】
論理チャネルタイプと論理チャネルＩＤの少なくともいずれかが、ＭＡＣ−ｈｓ  ＰＤＵヘッダのキューＩＤ（アイデンティティ）フィールドによって識別されることを特徴とする請求項１に記載のノードＢ。
【請求項９】
論理チャネルタイプのグループが、前記キューＩＤによって示され、ＭＡＣ−ｃ／ｓｈ／ｍ  ＰＤＵヘッダの中のＴＣＴＦ（ターゲットチャネルタイプフィールド）が、前記グループ化された論理チャネルタイプの或る論理チャネルタイプを示すことを特徴とする請求項８に記載のノードＢ。
【請求項１０】
専用論理チャネルに関する論理チャネルＩＤが、Ｃ／Ｔ  Ｍｕｘフィールドによって識別されることを特徴とする請求項８に記載のノードＢ。
【請求項１１】
前記ＭＡＣ−ｈｓ  ＰＤＵは、キューＩＤ（アイデンティティ）とＴＳＮ（伝送シーケンス番号）の複数のペアを含むことを特徴とする請求項８に記載のノードＢ。
【請求項１２】
複数の論理チャネルが、前記ＭＡＣ−ｈｓ  ＰＤＵの中に多重化され、複数の論理チャネルＩＤが、前記ＭＡＣ−ｈｓヘッダの中に含められることを特徴とする請求項１に記載のノードＢ。
【請求項１３】
前記論理チャネルＩＤのそれぞれに関して１つのＴＳＮ（伝送シーケンス番号）が、前記ＭＡＣ−ｈｓヘッダの中に含められることを特徴とする請求項１２に記載のノードＢ。
【請求項１４】
ＨＳ−ＤＳＣＨ（高速ダウンリンク共有チャネル）を介して共通論理チャネル伝送および専用論理チャネル伝送を送信するためのノードＢであって、
共通論理チャネルＳＤＵ（サービスデータユニット）に関するＭＡＣ（媒体アクセス制御）−ｃ／ｓｈ／ｍ  ＰＤＵ（プロトコルデータユニット）と、専用論理チャネルＳＤＵに関するＭＡＣ−ｄ  ＰＤＵの少なくともいずれかを搬送するＭＡＣ−ｈｓ  ＰＤＵを生成するため、およびＨＳ−ＤＳＣＨを介して前記ＭＡＣ−ｈｓ  ＰＤＵをＵＥ（ユーザ機器）に送信するためのエンティティであって、前記ＵＥが、Ｃｅｌｌ＿ＦＡＣＨ状態にある場合に、セル固有のＨ−ＲＮＴＩ（ＨＳ−ＤＳＣＨ無線ネットワーク一時ＩＤ）と、およびＣ−ＲＮＴＩ（セルＲＮＴＩ）とＵ−ＲＮＴＩ（ユニバーサル地上無線アクセスネットワークＲＮＴＩ）のいずれか一方とを使用するＭＡＣ−ｈｓエンティティと、
前記ＭＡＣ−ｈｓ  ＰＤＵを送信するための物理層と
を含むことを特徴とするノードＢ。
【請求項１５】
前記ＭＡＣ−ｈｓエンティティは、前記ＵＥが、Ｃｅｌｌ＿ＰＣＨ状態およびＵＲＡ＿ＰＣＨ状態にある場合、セル固有のＨ−ＲＮＴＩと一意のＨ−ＲＮＴＩのいずれかを使用することを特徴とする請求項１４に記載のノードＢ。
【請求項１６】
前記ＭＡＣ−ｈｓエンティティは、ＭＡＣ−ｈｓ  ＰＤＵヘッダの中にＵＥ−ＩＤ  ＴｙｐｅフィールドおよびＵＥ−ＩＤフィールドを挿入することを特徴とする請求項１４に記載のノードＢ。
【請求項１７】
ＨＳ−ＳＣＣＨ（高速共有制御チャネル）伝送が、ＵＥ−ＩＤタイプフィールドおよびＵＥ−ＩＤフィールドを組み込むことを特徴とする請求項１４に記載のノードＢ。
【請求項１８】
前記ＭＡＣ−ｈｓエンティティは、ＭＡＣ−ｈｓ  ＰＤＵヘッダの中に論理チャネルタイプと論理チャネルＩＤの少なくともいずれかを挿入することを特徴とする請求項１４に記載のノードＢ。
【請求項１９】
前記ＵＥが、Ｃｅｌｌ＿ＰＣＨ状態とＵＲＡ＿ＰＣＨ状態のいずれかにある場合、論理チャネルタイプが、ＰＣＣＨ（ページング制御チャネル）であると暗黙的に示されることを特徴とする請求項１４に記載のノードＢ。
【請求項２０】
前記ＭＡＣ−ｈｓエンティティは、別個のＨ−ＲＮＴＩを選択して論理チャネルタイプおよび論理チャネルＩＤを識別することを特徴とする請求項１４に記載のノードＢ。
【請求項２１】
前記ＭＡＣ−ｈｓエンティティは、別個のＨ−ＲＮＴＩを選択して論理チャネルタイプを識別し、論理チャネルＩＤを示す論理チャネルＩＤフィールドをＭＡＣ−ｈｓ  ＰＤＵヘッダの中に挿入することを特徴とする請求項１４に記載のノードＢ。
【請求項２２】
前記共通論理チャネルに関する論理チャネルタイプが、ＭＡＣ−ｃ／ｓｈ／ｍ  ＰＤＵヘッダの中で識別されることを特徴とする請求項１４に記載のノードＢ。
【請求項２３】
論理チャネルタイプと論理チャネルＩＤの少なくともいずれかが、ＭＡＣ−ｈｓ  ＰＤＵヘッダのキューＩＤ（アイデンティティ）フィールドによって識別されることを特徴とする請求項１４に記載のノードＢ。
【請求項２４】
論理チャネルタイプのグループが、前記キューＩＤによって示され、ＭＡＣ−ｃ／ｓｈ／ｍ  ＰＤＵヘッダの中のＴＣＴＦ（ターゲットチャネルタイプフィールド）が、前記グループ化された論理チャネルタイプの或る論理チャネルタイプを示すことを特徴とする請求項２３に記載のノードＢ。
【請求項２５】
専用論理チャネルに関する論理チャネルＩＤが、Ｃ／Ｔ  Ｍｕｘフィールドによって識別されることを特徴とする請求項２４に記載のノードＢ。
【請求項２６】
前記ＭＡＣ−ｈｓ  ＰＤＵは、キューＩＤ（アイデンティティ）とＴＳＮ（伝送シーケンス番号）の複数のペアを含むことを特徴とする請求項２４に記載のノードＢ。
【請求項２７】
複数の論理チャネルが、前記ＭＡＣ−ｈｓ  ＰＤＵの中に多重化され、複数の論理チャネルＩＤが、前記ＭＡＣ−ｈｓヘッダの中に含められることを特徴とする請求項１４に記載のノードＢ。
【請求項２８】
前記論理チャネルＩＤのそれぞれに関して１つのＴＳＮ（伝送シーケンス番号）が、前記ＭＡＣ−ｈｓヘッダの中に含められることを特徴とする請求項２７に記載のノードＢ。
【請求項２９】
各ＵＥに関して別個のＴＳＮ（伝送シーケンス番号）が使用されることを特徴とする請求項１４に記載のノードＢ。
【請求項３０】
ＨＳ−ＤＳＣＨ（高速ダウンリンク共有チャネル）を介して共通論理チャネル伝送および専用論理チャネル伝送を受信するためのＵＥ（ユーザ機器）であって、
専用論理チャネル伝送に関するＭＡＣ（媒体アクセス制御）−ｄ  ＰＤＵ（プロトコルデータユニット）を処理するためのＭＡＣ−ｄエンティティと、
共通論理チャネル伝送に関するＭＡＣ−ｃ／ｓｈ／ｍ  ＰＤＵを処理するためのＭＡＣ−ｃ／ｓｈ／ｍエンティティと、
ＨＳ−ＤＳＣＨを介して送信された、前記ＭＡＣ−ｃ／ｓｈ／ｍ  ＰＤＵと前記ＭＡＣ−ｄ  ＰＤＵの少なくともいずれかを搬送するＭＡＣ−ｈｓ  ＰＤＵを処理するためのエンティティであって、前記ＭＡＣ−ｄ  ＰＤＵが、前記ＵＥを宛先としていることを割り出すためにＵＥ固有のＨ−ＲＮＴＩ（ＨＳ−ＤＳＣＨ無線ネットワーク一時識別子）を使用し、かつ前記ＭＡＣ−ｃ／ｓｈ／ｍ  ＰＤＵが、前記ＵＥを宛先としていることを割り出すためにセル固有のＨ−ＲＮＴＩを使用するＭＡＣ−ｈｓエンティティと
を含むことを特徴とするＵＥ。
【請求項３１】
前記ＭＡＣ−ｈｓエンティティは、ＭＡＣ−ｈｓ  ＰＤＵヘッダの中の論理チャネルタイプと論理チャネルＩＤの少なくともいずれかを抽出することを特徴とする請求項３０に記載のＵＥ。
【請求項３２】
前記ＭＡＣ−ｈｓエンティティは、別個のＨ−ＲＮＴＩを使用して論理チャネルタイプおよび論理チャネルＩＤを識別することを特徴とする請求項３０に記載のＵＥ。
【請求項３３】
前記ＭＡＣ−ｈｓエンティティは、Ｈ−ＲＮＴＩと、ＭＡＣ−ｈｓ  ＰＤＵヘッダの中に含まれる論理チャネル情報の両方を使用して、論理チャネルタイプおよび論理チャネルＩＤを識別することを特徴とする請求項３０に記載のＵＥ。
【請求項３４】
前記ＭＡＣ−ｃ／ｓｈ／ｍエンティティは、ＭＡＣ−ｃ／ｓｈ／ｍ  ＰＤＵヘッダの中に含まれる情報を使用して、前記共通論理チャネルに関する論理チャネルタイプを識別することを特徴とする請求項３０に記載のＵＥ。
【請求項３５】
前記ＭＡＣ−ｈｓエンティティは、ＭＡＣ−ｈｓ  ＰＤＵヘッダの中のキューＩＤ（アイデンティティ）フィールドを使用して、論理チャネルタイプと論理チャネルＩＤの少なくともいずれかを識別することを特徴とする請求項３０に記載のＵＥ。
【請求項３６】
前記ＭＡＣ−ｈｓ  ＰＤＵは、キューＩＤ（アイデンティティ）とＴＳＮ（伝送シーケンス番号）の複数のペアを含むことを特徴とする請求項３０に記載のＵＥ。
【請求項３７】
前記ＭＡＣ−ｈｓ  ＰＤＵは、論理チャネルＩＤとＴＳＮ（伝送シーケンス番号）の複数のペアを含むことを特徴とする請求項３０に記載のＵＥ。
【請求項３８】
複数の論理チャネルが、前記ＭＡＣ−ｈｓ  ＰＤＵの中に多重化され、複数の論理チャネルＩＤが、ＭＡＣ−ｈｓ  ＰＤＵヘッダの中に含められることを特徴とする請求項３０に記載のＵＥ。
【請求項３９】
前記論理チャネルＩＤのそれぞれに関して１つのＴＳＮ（伝送シーケンス番号）が、前記ＭＡＣ−ｈｓ  ＰＤＵヘッダの中に含められることを特徴とする請求項３８に記載のＵＥ。
【請求項４０】
ＨＳ−ＤＳＣＨ（高速ダウンリンク共有チャネル）を介して共通論理チャネル伝送および専用論理チャネル伝送を受信するためのＵＥ（ユーザ機器）であって、
専用論理チャネル伝送に関するＭＡＣ（媒体アクセス制御）−ｄ  ＰＤＵ（プロトコルデータユニット）を処理するためのＭＡＣ−ｄエンティティと、
共通論理チャネル伝送に関するＭＡＣ−ｃ／ｓｈ／ｍ  ＰＤＵを処理するためのＭＡＣ−ｃ／ｓｈ／ｍエンティティと、
ＨＳ−ＤＳＣＨを介して送信され、かつ前記ＭＡＣ−ｃ／ｓｈ／ｍ  ＰＤＵと前記ＭＡＣ−ｄ  ＰＤＵの少なくともいずれか一つを搬送するＭＡＣ−ｈｓ  ＰＤＵを処理するためのエンティティであって、前記ＵＥが、Ｃｅｌｌ＿ＦＡＣＨ状態にある場合に、セル固有のＨ−ＲＮＴＩ（ＨＳ−ＤＳＣＨ無線ネットワーク一時ＩＤ）と、Ｃ−ＲＮＴＩ（セルＲＮＴＩ）およびＵ−ＲＮＴＩ（ユニバーサル地上無線アクセスネットワークＲＮＴＩ）のいずれか一つとを使用して、前記ＭＡＣ−ｈｓ  ＰＤＵが、前記ＵＥを宛先としているかどうかを割り出すＭＡＣ−ｈｓエンティティと
を含むことを特徴とするＵＥ。
【請求項４１】
前記ＭＡＣ−ｈｓエンティティは、前記ＵＥが、Ｃｅｌｌ＿ＰＣＨ状態およびＵＲＡ＿ＰＣＨ状態にある場合、セル固有のＨ−ＲＮＴＩと一意Ｈ−ＲＮＴＩのいずれかを使用することを特徴とする請求項４０に記載のＵＥ。
【請求項４２】
前記ＭＡＣ−ｈｓエンティティは、ＭＡＣ−ｈｓ  ＰＤＵヘッダの中のＵＥ−ＩＤ  ＴｙｐｅフィールドおよびＵＥ−ＩＤフィールドを抽出して、前記ＭＡＣ−ｈｓ  ＰＤＵが、前記ＵＥを宛先としているかどうかを割り出すことを特徴とする請求項４０に記載のＵＥ。
【請求項４３】
ＵＥ−ＩＤ  ＴｙｐｅフィールドおよびＵＥ−ＩＤフィールドが、ＨＳ−ＳＣＣＨ（高速共有制御チャネル）を介して送信されることを特徴とする請求項４０に記載のＵＥ。
【請求項４４】
前記ＭＡＣ−ｈｓエンティティは、ＭＡＣ−ｈｓ  ＰＤＵヘッダの中の論理チャネルタイプと論理チャネルＩＤの少なくともいずれかを抽出することを特徴とする請求項４０に記載のＵＥ。
【請求項４５】
前記ＭＡＣ−ｈｓエンティティは、別個のＨ−ＲＮＴＩを使用して論理チャネルタイプおよび論理チャネルＩＤを識別することを特徴とする請求項４０に記載のＵＥ。
【請求項４６】
前記ＭＡＣ−ｈｓエンティティは、別個のＨ−ＲＮＴＩを使用して論理チャネルタイプを識別し、共通論理チャネルタイプを識別するＴＣＴＦ（ターゲットチャネルタイプフィールド）、および専用論理チャネルＩＤを識別するＣ／Ｔ  Ｍｕｘフィールドを抽出することを特徴とする請求項４０に記載のＵＥ。
【請求項４７】
前記ＭＡＣ−ｃ／ｓｈ／ｍエンティティは、ＭＡＣ−ｃ／ｓｈ／ｍ  ＰＤＵヘッダの中に含まれる情報を使用して、前記共通論理チャネルに関する論理チャネルタイプを識別することを特徴とする請求項４０に記載のＵＥ。
【請求項４８】
論理チャネルタイプと論理チャネルＩＤの少なくともいずれかが、ＭＡＣ−ｈｓ  ＰＤＵヘッダのキューＩＤ（アイデンティティ）フィールドによって識別されることを特徴とする請求項４０に記載のＵＥ。
【請求項４９】
前記ＭＡＣ−ｈｓ  ＰＤＵは、キューＩＤ（アイデンティティ）とＴＳＮ（伝送シーケンス番号）の複数のペアを含むことを特徴とする請求項４０に記載のＵＥ。
【請求項５０】
複数の論理チャネルが、前記ＭＡＣ−ｈｓ  ＰＤＵの中に多重化され、複数の論理チャネルＩＤが、ＭＡＣ−ｈｓヘッダの中に含められることを特徴とする請求項４０に記載のＵＥ。
【請求項５１】
前記論理チャネルＩＤのそれぞれに関して１つのＴＳＮ（伝送シーケンス番号）が、前記ＭＡＣ−ｈｓヘッダの中に含められることを特徴とする請求項５０に記載のＵＥ。
【請求項５２】
各ＵＥに関して別個のＴＳＮ（伝送シーケンス番号）が使用されることを特徴とする請求項４０に記載のＵＥ。
【請求項５３】
ＨＳ−ＤＳＣＨ（高速ダウンリンク共有チャネル）を介して共通論理チャネル伝送および専用論理チャネル伝送を送信するための方法であって、
共通論理チャネルＳＤＵ（サービスデータユニット）に関するＭＡＣ（媒体アクセス制御）−ｃ／ｓｈ／ｍ  ＰＤＵ（プロトコルデータユニット）と、専用論理チャネルＳＤＵに関するＭＡＣ−ｄ  ＰＤＵの少なくともいずれかを搬送するＭＡＣ−ｈｓ  ＰＤＵを生成すること、および
ＨＳ−ＤＳＣＨを介して前記ＭＡＣ−ｈｓ  ＰＤＵを送信することを含み、
ＵＥ（ユーザ機器）固有のＨ−ＲＮＴＩ（ＨＳ−ＤＳＣＨ無線ネットワーク一時識別子）が、前記ＭＡＣ−ｄ  ＰＤＵが宛先とするＵＥを識別するために使用され、かつ前記ＭＡＣ−ｃ／ｓｈ／ｍ  ＰＤＵが宛先としているＵＥを識別するためにセル固有のＨ−ＲＮＴＩを使用することを特徴とする方法。
【請求項５４】
論理チャネルタイプと論理チャネルＩＤの少なくともいずれかが、ＭＡＣ−ｈｓ  ＰＤＵヘッダの中に挿入されることを特徴とする請求項５３に記載の方法。
【請求項５５】
複数の論理チャネルが、１つのＭＡＣ−ｈｓ  ＰＤＵの中に多重化され、複数の論理チャネルタイプ、および複数の論理チャネルＩＤが、前記ＭＡＣ−ｈｓ  ＰＤＵヘッダの中に挿入されることを特徴とする請求項５４に記載の方法。
【請求項５６】
別個のＨ−ＲＮＴＩを使用して、論理チャネルタイプおよび論理チャネルＩＤが識別されることを特徴とする請求項５３に記載の方法。
【請求項５７】
別個のＨ−ＲＮＴＩを使用して、論理チャネルタイプが或る程度、識別され、ＴＣＴＦ（ターゲットチャネルタイプフィールド）およびＣ／Ｔ  Ｍｕｘフィールドを使用して、論理チャネルタイプおよび論理チャネルＩＤが明確に識別されることを特徴とする請求項５３に記載の方法。
【請求項５８】
前記共通論理チャネルに関する論理チャネルタイプが、ＭＡＣ−ｃ／ｓｈ／ｍ  ＰＤＵヘッダの中で識別されることを特徴とする請求項５３に記載の方法。
【請求項５９】
論理チャネルタイプと論理チャネルＩＤの少なくともいずれかが、ＭＡＣ−ｈｓ  ＰＤＵヘッダのキューＩＤ（アイデンティティ）フィールドによって識別されることを特徴とする請求項５３に記載の方法。
【請求項６０】
前記論理チャネルＩＤのそれぞれに関して１つのＴＳＮ（伝送シーケンス番号）が、前記ＭＡＣ−ｈｓヘッダの中に含められることを特徴とする請求項５３に記載の方法。
【請求項６１】
前記ＭＡＣ−ｈｓ  ＰＤＵは、キューＩＤ（アイデンティティ）とＴＳＮ（伝送シーケンス番号）の複数のペアを含むことを特徴とする請求項５３に記載の方法。
【請求項６２】
複数の論理チャネルが、前記ＭＡＣ−ｈｓ  ＰＤＵの中に多重化され、複数の論理チャネルＩＤが、前記ＭＡＣ−ｈｓヘッダの中に含められることを特徴とする請求項５３に記載の方法。
【請求項６３】
前記論理チャネルＩＤのそれぞれに関して１つのＴＳＮ（伝送シーケンス番号）が、前記ＭＡＣ−ｈｓヘッダの中に含められることを特徴とする請求項６２に記載の方法。
【請求項６４】
ＨＳ−ＤＳＣＨ（高速ダウンリンク共有チャネル）を介して共通論理チャネル伝送および専用論理チャネル伝送を送信するための方法であって、
共通論理チャネルＳＤＵ（サービスデータユニット）に関するＭＡＣ（媒体アクセス制御）−ｃ／ｓｈ／ｍ  ＰＤＵ（プロトコルデータユニット）と、専用論理チャネルＳＤＵに関するＭＡＣ−ｄ  ＰＤＵの少なくともいずれか一方を搬送するＭＡＣ−ｈｓ  ＰＤＵを生成すること、および
ＨＳ−ＤＳＣＨを介して前記ＭＡＣ−ｈｓ  ＰＤＵを送信することを含み、
ＵＥ（ユーザ装置）がＣｅｌｌ＿ＦＡＣＨ状態にある場合に、セル固有のＨ−ＲＮＴＩ（ＨＳ−ＤＳＣＨ無線ネットワーク一時ＩＤ）と、およびＣ−ＲＮＴＩ（セルＲＮＴＩ）とＵ−ＲＮＴＩ（ユニバーサル地上無線アクセスネットワークＲＮＴＩ）のいずれか一つとが、前記ＭＡＣ−ｈｓ  ＰＤＵが宛先とする該ＵＥを識別するために使用されることを特徴とする方法。
【請求項６５】
前記ＵＥが、Ｃｅｌｌ＿ＰＣＨ状態およびＵＲＡ＿ＰＣＨ状態にある場合、セル固有のＨ−ＲＮＴＩと一意Ｈ−ＲＮＴＩのいずれかが、使用されることを特徴とする請求項６４に記載の方法。
【請求項６６】
ＵＥ−ＩＤ  ＴｙｐｅフィールドおよびＵＥ−ＩＤフィールドが、ＭＡＣ−ｈｓ  ＰＤＵヘッダの中に挿入されることを特徴とする請求項６４に記載の方法。
【請求項６７】
ＵＥ−ＩＤ  ＴｙｐｅフィールドおよびＵＥ−ＩＤフィールドが、ＨＳ−ＳＣＣＨ（高速共有制御チャネル）を介して送信されることを特徴とする請求項６４に記載の方法。
【請求項６８】
論理チャネルタイプと論理チャネルＩＤの少なくともいずれかが、ＭＡＣ−ｈｓ  ＰＤＵヘッダの中に挿入されることを特徴とする請求項６４に記載の方法。
【請求項６９】
別個のＨ−ＲＮＴＩを使用して、論理チャネルタイプおよび論理チャネルＩＤが識別されることを特徴とする請求項６４に記載の方法。
【請求項７０】
別個のＨ−ＲＮＴＩを使用して、論理チャネルタイプが或る程度、識別され、ＴＣＴＦ（ターゲットチャネルタイプフィールド）およびＣ／Ｔ  Ｍｕｘフィールドを使用して、論理チャネルタイプおよび論理チャネルＩＤが識別されることを特徴とする請求項６４に記載の方法。
【請求項７１】
前記共通論理チャネルに関する論理チャネルタイプが、ＭＡＣ−ｃ／ｓｈ／ｍ  ＰＤＵヘッダの中で識別されることを特徴とする請求項６４に記載の方法。
【請求項７２】
論理チャネルタイプと論理チャネルＩＤの少なくともいずれかが、ＭＡＣ−ｈｓ  ＰＤＵヘッダのキューＩＤ（アイデンティティ）フィールドによって識別されることを特徴とする請求項６４に記載の方法。
【請求項７３】
各ＵＥに関して別個のＴＳＮ（伝送シーケンス番号）が使用されることを特徴とする請求項６４に記載の方法。
【請求項７４】
前記ＭＡＣ−ｈｓ  ＰＤＵは、キューＩＤ（アイデンティティ）とＴＳＮ（伝送シーケンス番号）の複数のペアを含むことを特徴とする請求項６４に記載の方法。
【請求項７５】
複数の論理チャネルが、前記ＭＡＣ−ｈｓ  ＰＤＵの中に多重化され、複数の論理チャネルＩＤが、前記ＭＡＣ−ｈｓヘッダの中に含められることを特徴とする請求項６４に記載の方法。
【請求項７６】
前記論理チャネルＩＤのそれぞれに関して１つのＴＳＮ（伝送シーケンス番号）が、前記ＭＡＣ−ｈｓヘッダの中に含められることを特徴とする請求項７５に記載の方法。
【請求項７７】
ＨＳ−ＤＳＣＨ（高速ダウンリンク共有チャネル）を介して共通論理チャネル伝送および専用論理チャネル伝送の少なくともいずれかを受信するための方法であって、
ＨＳ−ＤＳＣＨを介して、ＭＡＣ（媒体アクセス制御）−ｃ／ｓｈ／ｍ  ＰＤＵ（プロトコルデータユニット）とＭＡＣ−ｄ  ＰＤＵの少なくともいずれかを搬送するＭＡＣ−ｈｓ  ＰＤＵを受信すること、および
ＵＥ（ユーザ機器）固有のＨ−ＲＮＴＩ（ＨＳ−ＤＳＣＨ無線ネットワーク一時識別子）を使用して、前記ＭＡＣ−ｄ  ＰＤＵが前記ＵＥを宛先としているかどうかを検出し、セル固有のＨ−ＲＮＴＩを使用して、前記ＭＡＣ−ｃ／ｓｈ／ｍ  ＰＤＵが前記ＵＥを宛先としているかどうかを検出すること
を含むことを特徴とする方法。
【請求項７８】
前記ＭＡＣ−ｈｓ  ＰＤＵを、同一の並べ替えキューに属する並べ替えＳＤＵのグループに分解することをさらに含むことを特徴とする請求項７７に記載の方法。
【請求項７９】
並べ替えのために並べ替えキューに並べ替えＳＤＵの前記グループを分配することをさらに含むことを特徴とする請求項７８に記載の方法。
【請求項８０】
並べ替えが実行された後、並べ替えＳＤＵの連結されたグループを完全なＭＡＣ−ｈｓ  ＳＤＵ、またはＭＡＣ−ｈｓ  ＳＤＵセグメントに分解することをさらに含むことを特徴とする請求項７９に記載の方法。
【請求項８１】
前記ＭＡＣ−ｈｓ  ＳＤＵセグメントを完全なＭＡＣ−ｈｓ  ＳＤＵに再組み立てすることをさらに含むことを特徴とする請求項８０に記載の方法。
【請求項８２】
ＭＡＣ−ｈｓヘッダの中の論理チャネル識別子に基づいて、前記完全なＭＡＣ−ｈｓ  ＳＤＵを逆多重化することをさらに含むことを特徴とする請求項８１に記載の方法。
【請求項８３】
論理チャネルタイプと論理チャネルＩＤの少なくともいずれかが、ＭＡＣ−ｈｓ  ＰＤＵヘッダの中の情報を使用して抽出されることを特徴とする請求項７７に記載の方法。
【請求項８４】
論理チャネルタイプおよび論理チャネルＩＤが、別個のＨ−ＲＮＴＩを使用して検出されることを特徴とする請求項７７に記載の方法。
【請求項８５】
論理チャネルタイプおよび論理チャネルＩＤが、Ｈ−ＲＮＴＩと、ＭＡＣ−ｈｓ  ＰＤＵヘッダの中に含まれる情報の両方を使用して検出されることを特徴とする請求項７７に記載の方法。
【請求項８６】
前記共通論理チャネルに関する論理チャネルタイプが、ＭＡＣ−ｃ／ｓｈ／ｍ  ＰＤＵヘッダの中に含まれる情報を使用して識別されることを特徴とする請求項７７に記載の方法。
【請求項８７】
論理チャネルタイプと論理チャネルＩＤの少なくともいずれかが、ＭＡＣ−ｈｓ  ＰＤＵヘッダの中のキューＩＤ（アイデンティティ）フィールドを使用して識別されることを特徴とする請求項７７に記載の方法。
【請求項８８】
ＨＳ−ＤＳＣＨ（高速ダウンリンク共有チャネル）を介して共通論理チャネル伝送および専用論理チャネル伝送を受信するための方法であって、
ＭＡＣ（媒体アクセス制御）−ｃ／ｓｈ／ｍ  ＰＤＵ（プロトコルデータユニット）とＭＡＣ−ｄ  ＰＤＵの少なくともいずれか一方を搬送するＭＡＣ−ｈｓ  ＰＤＵをＨＳ−ＤＳＣＨを介して受信すること、および
ＵＥがＣｅｌｌ＿ＦＡＣＨ状態にある場合に、セル固有のＨ−ＲＮＴＩ（ＨＳ−ＤＳＣＨ無線ネットワーク一時ＩＤ）と、およびＣ−ＲＮＴＩ（セルＲＮＴＩ）とＵ−ＲＮＴＩ（ユニバーサル地上無線アクセスネットワークＲＮＴＩ）のいずれか一方とを使用して、前記ＭＡＣ−ｈｓ  ＰＤＵが該ＵＥを宛先としているかどうかを検出すること
を含むことを特徴とする方法。
【請求項８９】
前記ＭＡＣ−ｈｓ  ＰＤＵを、同一の並べ替えキューに属する並べ替えＳＤＵのグループに分解することをさらに含むことを特徴とする請求項８８に記載の方法。
【請求項９０】
並べ替えのために前記並べ替えキューに並べ替えＳＤＵの前記グループを分配することをさらに含むことを特徴とする請求項８９に記載の方法。
【請求項９１】
並べ替えが実行された後、並べ替えＳＤＵの連結されたグループを完全なＭＡＣ−ｈｓ  ＳＤＵ、またはＭＡＣ−ｈｓ  ＳＤＵセグメントに分解することをさらに含むことを特徴とする請求項９０に記載の方法。
【請求項９２】
前記ＭＡＣ−ｈｓ  ＳＤＵセグメントを完全なＭＡＣ−ｈｓ  ＳＤＵに再組み立てすることをさらに含むことを特徴とする請求項９１に記載の方法。
【請求項９３】
ＭＡＣ−ｈｓヘッダの中の論理チャネル識別子に基づいて、前記完全なＭＡＣ−ｈｓ  ＳＤＵを逆多重化することをさらに含むことを特徴とする請求項９２に記載の方法。
【請求項９４】
前記ＵＥが、Ｃｅｌｌ＿ＰＣＨ状態およびＵＲＡ＿ＰＣＨ状態にある場合、セル固有のＨ−ＲＮＴＩと一意Ｈ−ＲＮＴＩのいずれかが、使用されることを特徴とする請求項８８に記載の方法。
【請求項９５】
ＭＡＣ−ｈｓ  ＰＤＵヘッダの中のＵＥ−ＩＤ  ＴｙｐｅフィールドおよびＵＥ−ＩＤフィールドが抽出されて、前記ＭＡＣ−ｈｓ  ＰＤＵが、前記ＵＥを宛先としているかどうかが割り出されることを特徴とする請求項８８に記載の方法。
【請求項９６】
ＵＥ−ＩＤ  ｔｙｐｅフィールドおよびＵＥ−ＩＤフィールドが、ＨＳ−ＳＣＣＨ（高速共有制御チャネル）を介して送信されることを特徴とする請求項８８に記載の方法。
【請求項９７】
ＭＡＣ−ｈｓ  ＰＤＵヘッダの中で論理チャネルタイプと論理チャネルＩＤの少なくともいずれかが、抽出されることを特徴とする請求項８８に記載の方法。
【請求項９８】
別個のＨ−ＲＮＴＩを使用して、論理チャネルタイプおよび論理チャネルＩＤが識別されることを特徴とする請求項８８に記載の方法。
【請求項９９】
別個のＨ−ＲＮＴＩを使用して、論理チャネルタイプが或る程度、識別され、ＴＣＴＦ（ターゲットチャネルタイプフィールド）およびＣ／Ｔ  Ｍｕｘフィールドを使用して、論理チャネルＩＤが明確に識別されることを特徴とする請求項８８に記載の方法。
【請求項１００】
前記共通論理チャネルに関する論理チャネルタイプが、ＭＡＣ−ｃ／ｓｈ／ｍ  ＰＤＵヘッダの中に含まれる情報を使用して識別されることを特徴とする請求項８８に記載の方法。
【請求項１０１】
論理チャネルタイプと論理チャネルＩＤの少なくともいずれかが、ＭＡＣ−ｈｓ  ＰＤＵヘッダのキューＩＤ（アイデンティティ）フィールドによって識別されることを特徴とする請求項８８に記載の方法。
【発明の詳細な説明】
【技術分野】
【０００１】
本発明は、無線通信に関する。
【背景技術】
【０００２】
ダウンリンク伝送およびアップリンク伝送のための高速共有チャネルが、３ＧＰＰ（第３世代パートナーシッププロジェクト）Ｒｅｌｅａｓｅ  ６システムにおいて利用可能である。現在、これらのチャネルは、ＵＥ（ユーザ機器）がＣｅｌｌ＿ＤＣＨ状態にある場合だけにしか利用可能でない。ＵＥは、専用チャネルがＵＥに割り当てられている場合、Ｃｅｌｌ＿ＤＣＨ状態にある。接続されたモードのその他のＲＲＣ（無線リソース制御）状態（すなわち、Ｃｅｌｌ＿ＦＡＣＨ状態、Ｃｅｌｌ＿ＰＣＨ状態、およびＵＲＡ＿ＰＣＨ状態）においては、ＵＥには、専用チャネルが割り当てられない。ＵＥとの通信は、Ｃｅｌｌ＿ＦＡＣＨ状態においてＲＡＣＨ（ランダムアクセスチャネル）およびＦＡＣＨ（順方向アクセスチャネル）を介して行われ、Ｃｅｌｌ＿ＰＣＨ状態およびＵＲＡ＿ＰＣＨ状態においてＰＣＨ（ページングチャネル）を介して行われる。
【０００３】
図１および図２は、ネットワークにおける従来のＭＡＣ（媒体アクセス制御）エンティティ、およびＵＥにおける従来のＭＡＣエンティティをそれぞれ示す。複数のサブＭＡＣエンティティが、ＭＡＣエンティティの中に含まれる。ＭＡＣ−ｂエンティティは、ＢＣＨ（ブロードキャストチャネル）を制御する。ＭＡＣ−ｃ／ｓｈ／ｍは、ＨＳ−ＤＳＣＨ（高速ダウンリンク共有チャネル）を除いて、すべての共通トランスポートチャネルへのアクセスを制御する。ＭＡＣ−ｄは、ＭＡＣ−ｃ／ｓｈ／ｍおよびＭＡＣ−ｈｃに向かうすべての専用トランスポートチャネルへのアクセスを制御する。ＭＡＣ−ｈｓは、ＨＳＤＰＡ（高速ダウンリンクパケットアクセス）固有の機能を扱い、ＨＳ−ＤＳＣＨへのアクセスを制御する。ＭＡＣ−ｅ／ｅｓは、Ｅ−ＤＣＨ（拡張専用チャネル）へのアクセスを制御する。
【０００４】
ダウンリンクにおいてＦＡＣＨチャネル上で利用可能なデータ転送速度は、ＲＮＣ（無線ネットワークコントローラ）が、ＦＡＣＨによるサービスを受ける様々なＵＥの要件に適応するようにそのコントローラの伝送電力または変調−符号化スキームを変更することができないため、実際には、低い値に制限される。このデータ転送速度制限は、ＵＥのための専用チャネルをセットアップするのに必要とされる所要時間が、比較的長く、このことが、エンドユーザ体感（experience）を低下させる長いコールセットアップ時間をもたらすことを意味する。このことのため、ＵＥがＣｅｌｌ＿ＦＡＣＨ状態にある間、ＨＳ−ＤＳＣＨの使用を許すことが提案されてきた。また、Ｃｅｌｌ＿ＰＣＨ状態およびＵＲＡ＿ＰＣＨ状態でのページングのためにＨＳ−ＤＳＣＨの使用を許すことも提案されてきた。
【発明の概要】
【発明が解決しようとする課題】
【０００５】
Ｃｅｌｌ＿ＦＡＣＨ状態、Ｃｅｌｌ＿ＰＣＨ状態、およびＵＲＡ＿ＰＣＨ状態においてＨＳ−ＤＳＣＨの利用を許すことは、システム性能を向上させるが、効率の悪さを回避するために解決される必要があるいくつかの課題が、存在する。ＭＡＣアーキテクチャは、他のＲＲＣ状態におけるＨＳ−ＤＳＣＨの利用を許すように変更されなければならない。また、ＭＡＣサブエンティティが、以下の課題を解決するように変更されなければならない。すなわち、ＨＳ−ＤＳＣＨを介して伝送されるデータが属するＵＥをどのように効率的に識別するのか、ＨＳ−ＤＳＣＨを介して伝送されるデータが属する論理チャネルのタイプをどのように効率的に識別するのか、およびこの特徴をサポートしないレガシーＵＥをどのように扱うのかの課題である。
【課題を解決するための手段】
【０００６】
ＨＳ−ＤＳＣＨを介して共通論理チャネル伝送および専用論理チャネル伝送を送受信するための方法および装置を、開示する。ネットワークにおけるＭＡＣ−ｈｓエンティティが、ＭＡＣ−ｃ／ｓｈ／ｍ  ＰＤＵ（プロトコルデータユニット）および／またはＭＡＣ−ｄ  ＰＤＵを運ぶＭＡＣ−ｈｓ  ＰＤＵを生成し、ＨＳ−ＤＳＣＨを介して、このＭＡＣ−ｈｓ  ＰＤＵを送信する。ＵＥ固有のＨ−ＲＮＴＩ（ＨＳ−ＤＳＣＨ無線ネットワーク一時識別子(identifier)）が、ＭＡＣ−ｄ  ＰＤＵに関して使用されることが可能であり、セル固有のＨ−ＲＮＴＩが、ＭＡＣ−ｃ／ｓｈ／ｂ  ＰＤＵに関して使用されることが可能である。代替として、ＭＡＣ−ｈｓエンティティは、ＵＥがＣｅｌｌ＿ＦＡＣＨ状態にある場合に、セル固有のＨ−ＲＮＴＩと、Ｃ−ＲＮＴＩ（セルＲＮＴＩ）あるいはＵ−ＲＮＴＩ（ユニバーサル地上無線アクセスネットワークＲＮＴＩ）のいずれか一つとを使用してもよい。論理チャネルのタイプおよびＩＤ（アイデンティティ：identity）は、ＭＡＣ−ｈｓ  ＰＤＵヘッダ内に挿入されることが可能である。識別可能なＨ−ＲＮＴＩを使用して、論理チャネルのタイプおよびIＤを識別することが可能である。共通論理チャネルに関する論理チャネルタイプは、ＭＡＣ−ｃ／ｓｈ／ｍ  ＰＤＵヘッダ内で識別されることが可能である。論理チャネルのタイプおよびＩＤは、キューＩＤによって識別されることが可能である。
【０００７】
例示として与えられ、添付の図面と併せて理解されるべき以下の説明から、より詳細な理解を得ることができる。
【図面の簡単な説明】
【０００８】
【図１】ネットワークにおける従来のＭＡＣエンティティを示す図である。
【図２】ＵＥにおける従来のＭＡＣエンティティを示す図である。
【図３】ネットワークにおけるＭＡＣ−ｃ／ｓｈ／ｍエンティティを示す図である。
【図４】ＷＴＲＵ（無線送信／受信ユニット）におけるＭＡＣ−ｃ／ｓｈ／ｍエンティティを示す図である。
【図５】ネットワークにおけるＭＡＣ−ｈｓエンティティを示す図である。
【図６】一実施形態によるＷＴＲＵにおけるＭＡＣ−ｈｓエンティティを示す図である。
【図７】別の実施形態によるＷＴＲＵにおけるＭＡＣ−ｈｓエンティティを示す図である。
【図８】ネットワークにおけるＭＡＣ−ｄ エンティティを示す図である。
【図９】ＷＴＲＵにおけるＭＡＣ−ｄ エンティティを示す図である。
【図１０】多重化が許される場合における例示的なＭＡＣ−ｈｓ  ＰＤＵフォーマットを示す図である。
【図１１】多重化が許されない場合における例示的なＭＡＣ−ｈｓ  ＰＤＵフォーマットを示す図である。
【発明を実施するための形態】
【０００９】
以降、言及される場合、「ＵＥ」という用語には、ＷＴＲＵ（無線送信／受信ユニット）、移動局、固定契約者ユニットもしくは移動契約者ユニット、ポケットベル、セルラー電話機、ＰＤＡ（パーソナルデジタルアシスタント）、コンピュータ、または無線環境において動作することができる他の任意のタイプのユーザデバイスが含まれるが、以上には限定されない。以降、言及される場合、「ノードＢ」という用語には、基地局、サイトコントローラ、ＡＰ（アクセスポイント）、または無線環境において動作することができる他の任意のタイプのインタフェースデバイスが含まれるが、以上には限定されない。
【００１０】
ネットワークおよびＵＥにおける従来のＭＡＣエンティティが、共通論理チャネルおよび共有論理チャネル（以降、ひとまとめにして「共通論理チャネル」）、および専用論理チャネルをＨＳ−ＤＳＣＨ上にマップすることを可能にし、さらに、ＨＳ−ＤＳＣＨ伝送に関するＵＥおよび／または論理チャネルを識別するように変更される。共通論理チャネルには、ＰＣＣＨ（ページング制御チャネル）、ＣＣＣＨ（共通制御チャネル）、ＢＣＣＨ（ブロードキャスト制御チャネル）、ＳＨＣＣＨ（共有チャネル制御チャネル）、ＣＴＣＨ（共通トラフィックチャネル）、ＭＴＣＨ（ＭＢＭＳ（マルチメディアブロードキャストマルチキャストサービス）トラフィックチャネル）、ＭＳＣＨ（ＭＢＭＳスケジューリングチャネル）、ＭＣＣＨ（ＭＢＭＳ制御チャネル）などが含まれるが、以上には限定されない。専用論理チャネルには、ＤＣＣＨ（専用制御チャネル）およびＤＴＣＨ（専用トラフィックチャネル）が含まれるが、以上には限定されない。図３〜図９に示されるとおり、ネットワークおよびＵＥにおけるサブＭＡＣエンティティの中で新たな機能が追加される、または従来の機能が変更される。
【００１１】
図３は、ネットワークにおけるＭＡＣ−ｃ／ｓｈ／ｍエンティティ３００を示す。ＭＡＣ−ｃ／ｓｈ／ｍエンティティ３００は、共通論理チャネル（例えば、ＰＣＣＨ、ＢＣＣＨ、ＳＨＣＣＨ、ＣＣＣＨ、ＣＴＣＨ、ＭＣＣＨ、ＭＳＣＨ、ＭＴＣＨなど）を介してＭＡＣ  ＳＤＵ（サービスデータユニット）を受信し、ＭＡＣ−ｄエンティティからＭＡＣ−ｄ  ＰＤＵを受信する。ＭＡＣ−ｃ／ｓｈ／ｍエンティティ３００は、ＨＳ−ＤＳＣＨを介して送信するために、ＭＡＣ−ｃ／ｓｈ／ｍ  ＰＤＵをＭＡＣ−ｈｓエンティティに出力することができる。代替として、ＭＡＣ−ｃ／ｓｈ／ｍエンティティ３００は、従来技術の場合のように、共通トランスポートチャネル（ＲＡＣＨ、ＦＡＣＨなどの）を介して共通論理チャネルからＭＡＣ  ＳＤＵを送信してもよい。
【００１２】
ＭＡＣ−ｃ／ｓｈ／ｍエンティティ３００は、Ｆ１機能ユニット３０２を含む。Ｆ１機能ユニット３０２は、共通論理チャネルを介してＭＡＣ  ＳＤＵを受信し、フロー制御ユニット３０４を介してＭＡＣ−ｄエンティティ８００からＭＡＣ−ｄ  ＰＤＵを受信する。Ｆ１機能ユニット３０２は、論理チャネルが、ＨＳ−ＤＳＣＨにマップされるべきか、または従来技術の場合のように、別のトランスポートチャネルにマップされるべきかを動的に決定する。そのような決定は、レガシーＵＥは、Ｃｅｌｌ＿ＤＣＨ状態以外のＲＲＣ状態においてＨＳ−ＤＳＣＨを利用する能力を有さない可能性があるため、情報が向けられたＵＥが知られている場合、そのＵＥの能力の知識に基づくことが、可能である。Ｆ１機能ユニット３０２は、論理チャネルＩＤ（例えば、ＴＣＴＦ（ターゲットチャネルタイプフィールド））をＭＡＣ−ｃ／ｓｈ／ｍ  ＰＤＵの中に挿入することができるが、このことは、後段で詳細に説明する。
【００１３】
Ｆ１機能ユニット３０２によって処理されたＭＡＣ  ＳＤＵおよびＭＡＣ−ｄ  ＰＤＵは、ＨＳ−ＤＳＣＨを介して送信するために、フロー制御ユニット３０６を介してＭＡＣ−ｈｓエンティティ５００に送信されることが可能である。代替として、Ｆ１機能ユニットによって処理されたＭＡＣ  ＳＤＵおよびＭＡＣ−ｄ  ＰＤＵは、スケジューリング／バッファリング／優先処理／逆多重化ユニット３０８によってまず、処理され、その後、フロー制御ユニット３０６を介してＭＡＣ−ｈｓエンティティ５００に転送されることが可能である。
【００１４】
ＭＡＣ−ｃ／ｓｈ／ｍエンティティ３００は、適切なタイミング情報をＭＡＣ−ｈｓエンティティ５００に与えて、ＢＣＣＨ情報およびＰＣＣＨ情報が適切な時点で送信されることを確実にしなければならない。
【００１５】
図４は、ＵＥ内の対応するＭＡＣ−ｃ／ｓｈ／ｍエンティティ４００を示す。ＭＡＣ−ｃ／ｓｈ／ｍエンティティ４００は、Ｆ２機能ユニット４０２を含む。Ｆ２機能ユニット４０２は、ＭＡＣ−ｈｓエンティティ６００からＭＡＣ−ｈｓ  ＳＤＵを受信する。Ｆ２機能ユニット４０２は、ヘッダ内の論理チャネルＩＤ（例えば、ＴＣＴＦ）を検出し、論理チャネルとトランスポートチャネルの間でマッピングを行う。
【００１６】
図５は、ネットワークにおけるＭＡＣ−ｈｓエンティティ５００を示す。ＭＡＣ−ｈｓエンティティ５００は、ＭＡＣ−ｃ／ｓｈ／ｍ  ＰＤＵおよびＭＡＣ−ｄ  ＰＤＵを受信し、ＨＳ−ＤＳＣＨを通じて搬送するＭＡＣ−ｈｓ  ＰＤＵを出力する。ＭＡＣ−ｈｓエンティティ５００は、スケジューリング−優先処理ユニット５０２、ＨＡＲＱエンティティ５０４、およびＴＦＲＣ（トランスポートフォーマット−リソース組合せ）選択ユニット５０６を含む。スケジューリング−優先処理ユニット５０２は、ＨＳ−ＤＳＣＨリソースを、ＨＡＲＱエンティティ５０４とデータフローの間で、これらのリソースの優先度に従って管理する。また、スケジューリング−優先処理ユニット５０２は、サービスを受ける新たな各ＭＡＣ−ｈｓ  ＰＤＵに関するキューＩＤおよびＴＳＮを決定する。ＨＡＲＱエンティティ５０４は、ＵＥに関するＨＡＲＱ機能を扱う。ＴＦＲＣ選択ユニット５〜６は、ＨＳ−ＤＳＣＨ上で伝送されるべきデータに関する適切なトランスポートフォーマットおよびリソースを選択する。さらに、ＴＦＲＣ選択ユニット５０６は、機能Ｆ３を実行して、論理チャネルタイプおよび論理チャネルＩＤ（例えば、ＴＣＴＦおよびＣＶＴ  Ｍｕｘ）をＭＡＣ−ｈｓヘッダの中に挿入し、かつ／またはＨ−ＲＮＴＩ（ＨＳ−ＤＳＣＨ無線ネットワーク一時ＩＤ）を選択し、「ＵＥ−ＩＤ」フィールドおよび／または「ＵＥ−ＩＤ  タイプ」フィールドをＭＡＣ−ｈｓヘッダの中に挿入するが、このことは、後段で詳細に説明する。
【００１７】
図６は、ＵＥにおける対応するＭＡＣ−ｈｓエンティティ６００を示す。ＭＡＣ−ｈｓエンティティ６００は、ＨＡＲＱエンティティ６０２、並べ替えキュー分配ユニット６０４、複数の並べ替えキュー６０６、および複数の分解ユニット６０８、６１０を含む。ＨＡＲＱエンティティ６０２は、ＨＡＲＱ機能を実行する。並べ替えキュー分配ユニット６０４は、受信されたＭＡＣ−ｈｓ  ＰＤＵを、キューＩＤに基づいて、正しい並べ替えキュー６０６に分配する。また、並べ替えキュー分配ユニット６０４は、機能Ｆ４を実行して、受信されたＭＡＣ−ｈｓ  ＰＤＵを正しい並べ替えバッファに分配する。この分配は、論理チャネルをシグナルするのに使用される方法に依存して、論理チャネルＩＤに基づくこと、または検出されたＨ−ＲＮＴＩに基づくこと、あるいはその両方に基づくことが可能である。異なるキュー、または異なる論理チャネルが、１つのＭＡＣ−ｈｓ  ＰＤＵの中に多重化される場合、並べ替えキュー分配ユニット６０４（より具体的には、ユニット６０４の中の機能４）は、ＭＡＣ−ｈｓ  ＰＤＵをそれぞれの論理チャネルまたはキューに逆多重化すること、または分解することを実行することができる。この分解／逆多重化は、並べ替えに先立って行われなければならない。
【００１８】
分解エンティティ６０８、６１０は、ＭＡＣ−ｈｓ  ＰＤＵの分解を担う。ＭＡＣ−ｈｓ  ＰＤＵが分解されると、ＭＡＣ−ｈｓヘッダが取り除かれ、ＭＡＣ−ｄ  ＰＤＵまたはＭＡＣ−ｃ／ｓｈ／ｍ  ＰＤＵが抽出され、パディングビットが取り除かれる。次に、ＭＡＣ−ｄ  ＰＤＵまたはＭＡＣ−ｃ／ｓｈ／ｍ  ＰＤＵは、ＭＡＣ−ｄエンティティまたはＭＡＣ−ｃ／ｓｈ／ｍエンティティにそれぞれ配信される。分解ユニット６０８が、ＭＡＣ−ｄ  ＰＤＵに関して機能Ｆ５ｄを実行し、分解ユニット６１０が、ＭＡＣ−ｃ／ｓｈ／ｍ  ＰＤＵに関して機能Ｆ５ｃを実行する。分解ユニット６０８が、ＭＡＣ−ｈｓヘッダ（例えば、その論理チャネルを示すＣ／Ｔフィールドまたは他のフィールド）に基づいて、ＭＡＣ−ｈｓ  ＰＤＵを逆多重化する。分解ユニット６１０が、ＭＡＣ−ｈｓヘッダ（例えば、その論理チャネルを示すＴＣＴＦまたは他のフィールド）に基づいて、ＭＡＣ−ｈｓ  ＰＤＵを逆多重化する。
【００１９】
図７は、ＵＥにおける代替のＭＡＣ−ｈｓエンティティ７００を示す。ＭＡＣ−ｈｓエンティティ７００は、ＨＡＲＱエンティティ７０２、並べ替えキュー分配ユニット７０４、複数の並べ替えキュー７０６、および複数の分解ユニット７０８を含む。異なるキュー、および／または異なる論理チャネルが、１つのＭＡＣ−ｈｓ  ＰＤＵの中に多重化される場合、並べ替えキュー分配ユニット７０４（より具体的には、ユニット７０４の中の機能４）は、ＭＡＣ−ｈｓ  ＰＤＵをそれぞれの論理チャネルまたはキューに逆多重化すること、または分解することを実行することができる。この分解／逆多重化は、並べ替えに先立って行われなければならない。並べ替えキュー分配ユニット７０４は、受信された、分解されたＭＡＣ−ｈｓ  ＰＤＵを正しい並べ替えバッファに分配することを実行する。ＭＡＣ−ｈｓ  ＰＤＵのこの分配は、論理チャネルＩＤに基づくこと、および／または検出されたＨ−ＲＮＴＩに基づくことが可能である。分解ユニット７０８は、ＭＡＣ−ｈｓヘッダ（例えば、論理チャネル識別子（identifier）を示すフィールド）に基づいて、機能Ｆ５を実行してＭＡＣ−ｈｓ  ＰＤＵを逆多重化する。
【００２０】
利用可能な物理リソースに基づくＭＡＣ−ｈｓセグメント化／連結が、ノードＢにおいて実行される場合、分解ユニット６０８、６１０、７０８は、セグメント化されたパケットの再組み立て、および連結されたパケットの分解を実行することができる。受信されたＭＡＣ−ｈｓ  ＰＤＵは、同一の並べ替えキューに属する並べ替えＳＤＵのグループに分解される。並べ替えＳＤＵのグループは、並べ替えキューに分配されて並べ替えられる。並べ替えＳＤＵの連結グループは、並べ替えが実行された後、完全なＭＡＣ−ｈｓ  ＳＤＵ、またはＭＡＣ−ｈｓ  ＳＤＵセグメントに分解される。これらのＭＡＣ−ｈｓ  ＳＤＵセグメントは、完全なＭＡＣ−ｈｓ  ＳＤＵに再組み立てされる。完全なＭＡＣ−ｈｓ  ＳＤＵは、ＭＡＣ−ｈｓヘッダ内の論理チャネル識別子に基づいて、逆多重化される。セグメント化情報および連結情報は、ＭＡＣヘッダ内で識別されなければならない。
【００２１】
図８は、ネットワークにおけるＭＡＣ−ｄエンティティ８００を示す。ＭＡＣ−ｄエンティティ８００は、Ｆ６機能ユニット８０２を含む。Ｆ６機能ユニット８０２は、論理チャネルＩＤを示すＣ／Ｔ  ＭｕｘフィールドをＭＡＣ−ｄヘッダ内に挿入する。
【００２２】
図９は、ＵＥにおけるＭＡＣ−ｄエンティティ９００を示す。ＭＡＣ−ｄエンティティ９００は、Ｆ７機能ユニット９０２を含む。Ｆ７機能ユニット９０２は、Ｃ／Ｔ  Ｍｕｘフィールドを抽出する。
【００２３】
ＨＳ−ＤＳＣＨ伝送に関するＵＥ  ＩＤについて、以降、説明する。ＵＥ  ＩＤは、ＵＥが、ＨＳ−ＤＳＣＨ伝送を読み取って（または読み取ろうと試みて）、その伝送をＭＡＣエンティティの上の層に通すべきであるかを決定するのをＵＥに許すように、ＨＳ−ＤＳＣＨの伝送のために、提供されなければならない。
【００２４】
第１の実施形態によれば、ネットワークにおけるＭＡＣ−ｈｓエンティティ５００の中のＴＦＲＣ選択ユニット５０６は、ＨＳ−ＤＳＣＨにマップされた専用論理チャネル（すなわち、ＤＴＣＨおよびＤＣＣＨ）に関してＵＥ固有のＨ−ＲＮＴＩを使用し、ＨＳ−ＤＳＣＨにマップされた共通論理チャネルに関してセル固有のＨ−ＲＮＴＩを使用する。ＵＥ固有のＨ−ＲＮＴＩは、Ｃ−ＲＮＴＩ（セル無線ネットワーク一時識別子）と一緒に（またはＣ−ＲＮＴＩの代わりに）、より高位の層によってＵＥに与えられる。セル固有のＨ−ＲＮＴＩは、セル上に留まっているＵＥ、またはセルに接続されたＵＥに与えられる。第１の実施形態によれば、ネットワークにおけるＭＡＣ−ｃ／ｓｈ／ｍエンティティ３００の中のＦ１機能ユニット３０２は、共通トランスポートチャネルにマップされた着信するすべてのＭＡＣ−ｄ  ＰＤＵのＭＡＣヘッダに「ＵＥ  ＩＤ」フィールドおよび「ＵＥ  ＩＤ  Ｔｙｐｅ」フィールドを追加することは要求されない。ＵＥにおけるＭＡＣ−ｃ／ｓｈ／ｍエンティティ４００は、ＭＡＣ−ｄ  ＰＤＵヘッダの中の「ＵＥ  ＩＤ」フィールドを読み取ることを要求されない。
【００２５】
ＰＣＣＨに関して、ネットワークは、ＵＥ  ＩＤ（ＩＭＥＩ（国際移動機器ＩＤ）またはＩＭＳＩ（国際移動体契約者ＩＤ）など）からＵＥ固有のＨ−ＲＮＴＩを導き出すことができる。また、ネットワークは、ＵＥ  ＩＤに加えて、セル固有のＩＤ、またはセル固有のＨ−ＲＮＴＩから、ＵＥ固有のＨ−ＲＮＴＩを導き出すこともできる。代替として、一意のＨ−ＲＮＴＩが使用されてもよく、ＩＭＥＩ／ＩＭＳＩベースのＩＤが、ＨＳ−ＤＳＣＨ上でシグナル（信号で送出）される。このことは、ＵＥがＣｅｌｌ＿ＰＣＨ状態またはＵＲＡ＿ＰＣＨ状態にある場合に使用されることが可能である。
【００２６】
第２の実施形態によれば、セル固有のＨ−ＲＮＴＩは、ＵＥがＣｅｌｌ＿ＦＡＣＨ状態にある場合に、ＨＳ−ＤＳＣＨにマップされた専用論理チャネルに関して使用される。Ｃｅｌｌ＿ＰＣＨ状態またはＵＲＡ＿ＰＣＨ状態において、セル固有のＨ−ＲＮＴＩ、または一意のＨ−ＲＮＴＩのどちらかが、使用され、ＩＭＥＩ／ＩＭＳＩベースのＩＤが、ＨＳ−ＤＳＣＨ上でシグナルされる。ＵＥは、ＵＥが、マップされたＦＡＣＨを有する場合、従来技術の場合のように、Ｃ−ＲＮＴＩまたはＵ−ＲＮＴＩで（「ＵＥ−ＩＤ  Ｔｙｐｅ」フィールドおよび「ＵＥ−ＩＤ」フィールド内で）で識別される。ＵＥが、ＨＳ−ＤＳＣＨの受信をするように構成されている場合、ＵＥは、ＦＡＣＨをもはや受信することはない0。
【００２７】
ネットワークにおけるＭＡＣ−ｈｓエンティティ５００内のＴＦＲＣ選択ユニット５０３は、「ＵＥ−ＩＤ  Ｔｙｐｅ」フィールドおよび「ＵＥ−ＩＤ」フィールドをＭＡＣ−ｈｓヘッダ内に挿入する。「ＵＥ−ＩＤ  ｔｙｐｅ」フィールドおよび「ＵＥ−ＩＤ」フィールドは、ＭＡＣ−ｃ／ｓｈ／ｍエンティティの中のすべてのＭＡＣ  ＳＤＵに関するヘッダの中には、もはや挿入されない。ＭＡＣ−ｃ／ｓｈ／ｍヘッダは、適用されない。ＭＡＣ−ｈｓ  ＰＤＵヘッダの新たなバージョンが、「ＵＥ−ＩＤ  ｔｙｐｅ」フィールドおよび「ＵＥ−ＩＤ」フィールドを含むように定義される。
【００２８】
代替として、ＨＳ−ＳＣＣＨ（高速共有制御チャネル）伝送が、「ＵＥ−ＩＤ  ｔｙｐｅ」フィールドおよび「ＵＥ−ＩＤ」フィールドを組み込んでもよい。この新たな情報は、既存のＨ−ＲＮＴＩ符号化が維持され得るような独特な仕方でＣＲＣ（巡回冗長検査）オーバレイに適用される。
【００２９】
ＭＡＣ−ｈｓ  ＰＤＵの中で異なるＵＥからの論理チャネルの多重化が許される場合、複数の「ＵＥ−ＩＤ  Ｔｙｐｅ」フィールド、および複数の「ＵＥ−ＩＤ」フィールドが、ＳＩＤ（サイズインデックス識別子）、Ｎ（ＭＡＣ−ｄ  ＰＤＵＳの数）フィールド、およびＦ（フラグ）フィールドと一緒にＭＡＣ−ｈｓヘッダに含められて、そのデータが属するＵＥが識別されることが可能である。代替として、この情報は、ＨＳ−ＳＣＣＨ伝送の中に含められてもよい。
【００３０】
さらに、別個のＴＳＮ（伝送シーケンス番号）が各ＵＥに関して含められることが可能である。このことは、ＵＥが、並べ替えを行う際、そのＵＥを宛先としていない情報を無視することを可能にする。具体的には、ＵＥはまず、ＭＡＣ−ｈｓ  ＰＤＵを逆多重化し、そのＵＥを宛先とする情報だけを保ち、次に、ＭＡＣ−ｈｓ  ＰＤＵのこの部分に関連するＴＳＮを使用して、並べ替えを実行する。
【００３１】
論理チャネルのＩＤについて、以降、説明する。共通論理チャネルは、ＨＳ−ＤＳＣＨを介して送信されることが可能であるので、ネットワークは、ネットワークから受信されたＭＡＣ  ＳＤＵが、いずれの論理チャネルに属するかを識別しなければならない。
【００３２】
第１の実施形態によれば、ＵＥがＣｅｌｌ＿ＦＡＣＨ状態にある場合に、論理チャネルタイプ、または論理チャネルタイプと論理チャネルＩＤが、ＭＡＣ−ｈｓ  ＰＤＵの中で示される。ＭＡＣ−ｈｓエンティティの中のＴＦＲＣ選択ユニット５０３が、ＭＡＣ−ｈｓヘッダの中に論理チャネルＩＤを挿入する。ＭＡＣ−ｈｓ  ＰＤＵに関する新たなバージョンが、論理チャネルのタイプおよびＩＤを識別するためのさらなるフィールドを含むＶＦ（バージョンフィールド）の新たな値によって定義され、示される。例えば、「ＴＣＴＦ」フィールドおよび「Ｃ／Ｔ  Ｍｕｘ」フィールドを利用して、論理チャネルタイプおよび論理チャネルＩＤを示すことが可能である。
【００３３】
ＴＣＴＦフィールドは、論理チャネルタイプ（すなわち、論理チャネルが、ＢＣＣＨ、ＣＣＣＨ、ＣＴＣＨ、ＳＨＣＣ、ＭＣＣＨ、ＭＴＣＨ、ＭＳＣＨ、または専用論理チャネル情報のどれを扱うのか）を示す。Ｃ／Ｔ  Ｍｕｘフィールドは、複数の論理チャネルが、同一のトランスポートチャネル上、または同一のＭＡＣ−ｄフロー上で伝送される場合の、論理チャネルの例示を示す。「Ｃ／Ｔ  Ｍｕｘ」フィールドは、論理チャネルが専用論理チャネル（すなわち、ＤＴＣＨおよび／またはＤＣＣＨ）であることを「ＴＣＴＦ」フィールドが示し、かつ、ＨＳ−ＤＳＣＨにマップされた複数の専用論理チャネルが存在する場合に限って、要求される。
【００３４】
ＭＡＣ−ｈｓ  ＰＤＵヘッダのフォーマットは、ＭＡＣ−ｈｓ  ＰＤＵの中で論理チャネルの多重化が許されるかどうかに依存する。図１０は、多重化が許される場合における例示的なＭＡＣ−ｈｓ  ＰＤＵフォーマットを示す。ＭＡＣ−ｈｓ  ＰＤＵ１０００は、ＭＡＣ−ｈｓヘッダ１０１０およびＭＡＣ−ｈｓペイロード１０２０を含む。ＭＡＣ−ｈｓペイロード１０２０は、１つまたは複数のＭＡＣ−ｈｓ  ＳＤＵ１０２２、およびオプションとして、パディング１０２４を含む。ＭＡＣ−ｈｓヘッダ１０１０は、ＶＦフィールド、キューＩＤフィールド、ＴＳＮフィールド、ＳＩＤnフィールド、Ｎnフィールド、Ｆnフィールド、ＴＣＴＦnフィールド、およびＣ／Ｔ  Ｍｕｘnフィールドを含む。ＶＦフィールドは、ＭＡＣ−ｈｓ  ＰＤＵフォーマットの拡張能力をもたらす１ビットフラグである。キューＩＤフィールドは、異なる並べ替えキューに属するデータの非依存のバッファ処理をサポートするために、並べ替えキューの識別をもたらす。ＴＳＮフィールドは、より高位の層への順序正しい配信をサポートするように、並べ替え目的で使用される。ＳＩＤnフィールドは、連続するＭＡＣ−ｄ  ＰＤＵのセットのサイズを識別する。Ｎnフィールドは、等しいサイズを有する、連続するＭＡＣ−ｄ  ＰＤＵの数を識別する。Ｆnフィールドは、ＭＡＣ−ｈｓヘッダの中にさらなるフィールドが存在するか否かを示す。
【００３５】
図１１は、多重化が許されない場合における例示的なＭＡＣ−ｈｓ  ＰＤＵ１１００を示す。ＭＡＣ−ｈｓ  ＰＤＵ１１００は、ＭＡＣ−ｈｓ  ＰＤＵヘッダ１１１０の中以外は、ＭＡＣ−ｈｓ  ＰＤＵ１０００と同様であり、１つのＴＣＴＦおよび１つのＣ／Ｔ  Ｍｕｘフィールドだけが含まれる。図１０および図１１に示されるＭＡＣ−ｈｓ  ＰＤＵフォーマットは、例示的であり、キュー多重化、キュー並べ替え、および／またはキューセグメント化（該当する場合）が実施される特定の仕方に依存して異なることが可能であることに留意されたい。
【００３６】
論理チャネルタイプは、ＵＥがＣｅｌｌ＿ＰＣＨ状態またはＵＲＡ＿ＰＣＨ状態にある場合、ＰＣＣＨであると暗黙に示されることが可能である。代替として、ＴＣＴＦフィールドのさらなる値が、ＰＣＣＨに関して定義されてもよい。
【００３７】
ＭＡＣ−ｈｓ  ＰＤＵヘッダは、図１０および図１１に示されるとおり、ＭＡＣ−ｈｓ  ＰＤＵ全体に関して単一のＴＳＮ、および単一のキューＩＤを含むことが可能である。代替的に、ＭＡＣ−ｈｓ  ＰＤＵヘッダは、異なるキューの多重化が許される場合、複数のＴＳＮ、および複数のキューＩＤを含んでもよい。この場合、並べ替えは、キューの逆多重化の後に実行される。代替として、ＴＳＮが、ＭＡＣ−ｈｓ  ＰＤＵヘッダの中で全くシグナルされなくてもよく、並べ替えが、ＭＡＣ−ｈｓエンティティより上位で実行されてもよい。
【００３８】
第２の実施形態によれば、論理チャネルタイプおよび論理チャネルＩＤは、ＵＥに割り当てられた別個のＨ−ＲＮＴＩによって識別される。ＴＦＲＣ選択ユニット５０６が、ＭＡＣ−ｈｓ  ＰＤＵに関してＨ−ＲＮＴＩを選択し、並べ替えキュー分配ユニット６０４が、受信されたＭＡＣ−ｈｓ  ＰＤＵを、検出されたＨ−ＲＮＴＩに基づいて、適切な並べ替えキュー６０６に分配する。Ｈ−ＲＮＴＩと論理チャネルタイプの間のマッピングは、ＲＲＣシグナリングを介してＵＥにシグナルされる。
【００３９】
第３の実施形態によれば、論理チャネルタイプは、Ｈ−ＲＮＴＩによって或る程度、識別され、さらに、ＭＡＣ−ｈｓ  ＰＤＵヘッダの中の「ＴＣＴＦ」フィールドおよび／または「Ｃ／Ｔ  Ｍｕｘ」フィールド、および／またはＨＳ−ＳＣＣＨ伝送によって或る程度、識別される。例えば、ＵＥに、専用論理チャネルトラフィックに関するＨ−ＲＮＴＩ、および共通論理チャネルトラフィックに関する別のＨ−ＲＮＴＩが割り当てられることが可能である。ＴＦＲＣ選択ユニット５０６が、共通論理チャネルトラフィックおよび専用論理チャネルトラフィックに関する適切なＨ−ＲＮＴＩを選択する。専用論理チャネルトラフィックに関して、ＭＡＣ−ｈｓエンティティの中のＴＦＲＣ選択ユニット５０６が、論理チャネルＩＤを識別する「Ｃ／Ｔ  Ｍｕｘ」フィールドをＭＡＣ−ｈｓ  ＰＤＵヘッダの中に挿入する一方で、共通論理チャネルトラフィックに関して、ＴＦＲＣ選択ユニット５０６は、共通論理チャネルタイプを識別する「ＴＣＴＦ」フィールドをＭＡＣ−ｈｓ  ＰＤＵヘッダの中に挿入する。ＵＥ内部で、並べ替えキュー分配ユニット６０４、７０４が、Ｈ−ＲＮＴＩを検出し、ＭＡＣ−ｈｓ  ＰＤＵを、検出されたＨ−ＲＮＴＩに基づいて、適切な並べ替えキュー６０６、７０６に分配し、分解ユニット６０８、６１０、７０８が、「ＴＣＴＦ」フィールドまたは「Ｃ／Ｔ  Ｍｕｘ」フィールドを抽出して、その「ＴＣＴＦ」フィールドまたは「Ｃ／Ｔ  Ｍｕｘ」フィールドに基づいて、ＭＡＣ  ＳＤＵまたはＭＡＣ−ｄ  ＰＤＵを、より高位の層に転送する。
【００４０】
第４の実施形態によれば、論理チャネルタイプは、従来技術の場合のとおり、ＭＡＣ−ｃ／ｓｈ／ｍ  ＰＤＵの中で識別される（すなわち、「ＴＣＴＦ」フィールドが、Ｆ１機能ユニットによってすべてのＭＡＣ  ＳＤＵのＭＡＣヘッダの中に含められる）。「ＴＣＴＦ」フィールドは、共通トランスポートチャネルにマップされたＭＡＣ−ｄ  ＰＤＵの中に含められる。専用論理チャネルに関する論理チャネルＩＤは、従来技術の場合のとおり、ＭＡＣ−ｄ  ＰＤＵの中で示される（すなわち、複数の専用論理チャネルがＨＳ−ＤＳＣＨにマップされる場合に、「Ｃ／Ｔ  Ｍｕｘ」フィールドが、Ｆ６機能ユニット８０２によってＭＡＣ−ｄ  ＰＤＵヘッダの中に含められる）。ＵＥにおいて、Ｆ２機能ユニット４０２が、「ＴＣＴＦ」フィールドを抽出し、ＭＡＣ−ｈｓ  ＰＤＵを適切な論理チャネルに、またはＭＡＣ−ｄエンティティにマップする。次に、Ｆ７機能ユニット９０２が、論理チャネルＩＤを識別する「Ｃ／Ｔ  Ｍｕｘ」フィールドを抽出する。
【００４１】
第５の実施形態によれば、論理チャネルタイプおよび／または論理チャネルＩＤが、ＭＡＣ−ｈｓ  ＰＤＵヘッダの「キューＩＤ」によって或る程度、または完全に識別される。マッピングは、優先キューと、論理チャネルタイプまたは論理チャネルタイプのグループとの間で定義される。マッピングが、優先キューと論理チャネルタイプのグループの間で定義される場合、Ｆ１機能ユニット３０２が、グループ化された論理チャネルタイプの１つからの各ＭＡＣ  ＳＤＵのヘッダに「ＴＣＴＦ」フィールドを追加する。ＵＥにおいて、並べ替えキュー分配ユニット６０４が、キューＩＤに基づいてＭＡＣ−ｈｓ  ＰＤＵを分配する。
【００４２】
専用論理チャネルに関する論理チャネルＩＤは、オプションとして、論理チャネルタイプがキューＩＤによって識別される場合に限って、ＭＡＣ−ｈｓ  ＰＤＵヘッダまたはＭＡＣ−ｄ  ＰＤＵヘッダの中の「Ｃ／Ｔ  Ｍｕｘ」フィールドによって識別される。
【００４３】
１つのＭＡＣ−ｈｓ  ＰＤＵの中で異なるキューを多重化することが、実行されることが可能である。前述したとおり、ＭＡＣ−ｈｓ  ＰＤＵは、キューＩＤ値とＴＳＮ値の単一のペアを含む、キューＩＤ値とＴＳＮ値の複数のペアを含む、またはＴＳＮをどこにも（ＭＡＣ−ｄ  ＰＤＵヘッダにも、ＭＡＣ−ｈｓ  ＰＤＵヘッダにも）含まないことが可能である。
【００４４】
テーブル１およびテーブル２は、ＵＥ  ＩＤおよび論理チャネルＩＤの様々な実施形態による、サブＭＡＣエンティティの中の機能ユニットによって実行される機能の要約である。
【００４５】
（実施形態）
【００４６】
１．ＨＳ−ＤＳＣＨを介する共通論理チャネル伝送および専用論理チャネル伝送を送信するためのノードＢ。
【００４７】
２．共通論理チャネルＳＤＵに関するＭＡＣ−ｃ／ｓｈ／ｍ  ＰＤＵと、専用論理チャネル  ＳＤＵに関するＭＡＣ−ｄ  ＰＤＵの少なくともいずれかを搬送するＭＡＣ−ｈｓ  ＰＤＵを生成するため、およびＨＳ−ＤＳＣＨを介して、このＭＡＣ−ｈｓ  ＰＤＵをＵＥに送信するためのＭＡＣ−ｈｓエンティティを含む実施形態１のノードＢ。
【００４８】
３．ＭＡＣ−ｈｓエンティティは、ＭＡＣ−ｄ  ＰＤＵが宛先とするＵＥを識別するためにＵＥ固有のＨ−ＲＮＴＩを使用し、ＭＡＣ−ｃ／ｓｈ／ｂ  ＰＤＵが宛先とするＵＥを識別するためにセル固有のＨ−ＲＮＴＩを使用する実施形態２のノードＢ。
【００４９】
４．ＭＡＣ−ｈｓ  ＰＤＵを送信するための物理層を含む実施形態２〜３のいずれか１つの実施形態におけるとおりのノードＢ。
【００５０】
５．ＭＡＣ−ｈｓエンティティは、論理チャネルタイプと論理チャネルＩＤの少なくともいずれかをＭＡＣ−ｈｓ  ＰＤＵヘッダの中に挿入する実施形態２〜４のいずれか１つの実施形態におけるとおりのノードＢ。
【００５１】
６．複数の論理チャネルが、１つのＭＡＣ−ｈｓ  ＰＤＵの中に多重化され、複数の論理チャネルタイプ、および複数の論理チャネルＩＤが、ＭＡＣ−ｈｓ  ＰＤＵヘッダの中に挿入される実施形態５のノードＢ。
【００５２】
７．ＵＥが、Ｃｅｌｌ＿ＰＣＨ状態とＵＲＡ＿ＰＣＨ状態のいずれかにある場合、論理チャネルタイプが、ＰＣＣＨであると暗黙に示される実施形態６のノードＢ。
【００５３】
８．ＭＡＣ−ｈｓエンティティは、別個のＨ−ＲＮＴＩを選択して論理チャネルタイプおよび論理チャネルＩＤを識別する実施形態２〜７のいずれか１つの実施形態におけるとおりのノードＢ。
【００５４】
９．ＭＡＣ−ｈｓエンティティは、別個のＨ−ＲＮＴＩを選択して論理チャネルタイプを識別し、論理チャネルＩＤを示す論理チャネルＩＤフィールドをＭＡＣ−ｈｓ  ＰＤＵヘッダの中に挿入する実施形態２〜７のいずれか１つの実施形態におけるとおりのノードＢ。
【００５５】
１０．共通論理チャネルに関する論理チャネルタイプが、ＭＡＣ−ｃ／ｓｈ／ｍ  ＰＤＵヘッダの中で識別される実施形態２〜７のいずれか１つの実施形態におけるとおりのノードＢ。
【００５６】
１１．論理チャネルタイプと論理チャネルＩＤの少なくともいずれかが、ＭＡＣ−ｈｓ  ＰＤＵヘッダのキューＩＤフィールドによって識別される実施形態２〜１０のいずれか１つの実施形態におけるとおりのノードＢ。
【００５７】
１２．論理チャネルタイプのグループが、キューＩＤによって示され、ＭＡＣ−ｃ／ｓｈ／ｍ  ＰＤＵヘッダの中のＴＣＴＦが、グループ化された論理チャネルタイプの或る論理チャネルタイプを示す実施形態１１のノードＢ。
【００５８】
１３．専用論理チャネルに関する論理チャネルＩＤが、Ｃ／Ｔ  Ｍｕｘフィールドによって識別される実施形態１１〜１２のいずれか１つの実施形態におけるとおりのノードＢ。
【００５９】
１４．ＭＡＣ−ｈｓ  ＰＤＵは、キューＩＤとＴＳＮの複数のペアを含む実施形態１１〜１３のいずれか１つの実施形態におけるとおりのノードＢ。
【００６０】
１５．複数の論理チャネルが、ＭＡＣ−ｈｓ  ＰＤＵの中に多重化され、複数の論理チャネルＩＤが、ＭＡＣ−ｈｓヘッダの中に含められる実施形態２〜１４のいずれか１つの実施形態におけるとおりのノードＢ。
【００６１】
１６．論理チャネルＩＤのそれぞれに関して１つのＴＳＮが、ＭＡＣ−ｈｓヘッダの中に含められる実施形態１５のノードＢ。
【００６２】
１７．ＨＳ−ＤＳＣＨを介して共通論理チャネル伝送および専用論理チャネル伝送を送信するためのノードＢ。
【００６３】
１８．共通論理チャネルＳＤＵに関するＭＡＣ−ｃ／ｓｈ／ｍ  ＰＤＵと、専用論理チャネルＳＤＵに関するＭＡＣ−ｄ  ＰＤＵの少なくともいずれかを搬送するＭＡＣ−ｈｓ  ＰＤＵを生成するため、およびＨＳ−ＤＳＣＨを介して、このＭＡＣ−ｈｓ  ＰＤＵをＵＥに送信するためのＭＡＣ−ｈｓエンティティを含む実施形態１７のノードＢ。
【００６４】
１９．ＭＡＣ−ｈｓエンティティは、ＵＥが、Ｃｅｌｌ＿ＦＡＣＨ状態にある場合、セル固有のＨ−ＲＮＴＩ、およびＣ−ＲＮＴＩとＵ−ＲＮＴＩのいずれかを使用する実施形態１８のノードＢ。
【００６５】
２０．ＭＡＣ−ｈｓ  ＰＤＵを送信するための物理層を含む実施形態１８〜１９のいずれか１つの実施形態におけるとおりのノードＢ。
【００６６】
２１．ＭＡＣ−ｈｓエンティティは、ＵＥが、Ｃｅｌｌ＿ＰＣＨ状態およびＵＲＡ＿ＰＣＨ状態にある場合、セル固有のＨ−ＲＮＴＩと一意Ｈ−ＲＮＴＩのいずれかを使用する実施形態１８〜２０のいずれか１つの実施形態におけるとおりのノードＢ。
【００６７】
２２．ＭＡＣ−ｈｓエンティティは、ＭＡＣ−ｈｓ  ＰＤＵヘッダの中にＵＥ−ＩＤ  ＴｙｐｅフィールドおよびＵＥ−ＩＤフィールドを挿入する実施形態１９〜２１のいずれか１つの実施形態におけるとおりのノードＢ。
【００６８】
２３．ＨＳ−ＳＣＣＨ伝送が、ＵＥ−ＩＤ  ＴｙｐｅフィールドおよびＵＥ−ＩＤフィールドを組み込む実施形態１９〜２１のいずれか１つの実施形態におけるとおりのノードＢ。
【００６９】
２４．ＭＡＣ−ｈｓエンティティは、論理チャネルタイプと論理チャネルＩＤの少なくともいずれかをＭＡＣ−ｈｓ  ＰＤＵヘッダの中に挿入する実施形態１８〜２３のいずれか１つの実施形態におけるとおりのノードＢ。
【００７０】
２５．ＵＥが、Ｃｅｌｌ＿ＰＣＨ状態とＵＲＡ＿ＰＣＨ状態のいずれかにある場合、論理チャネルタイプが、ＰＣＣＨであると暗黙に示される実施形態２４のノードＢ。
【００７１】
２６．ＭＡＣ−ｈｓエンティティは、別個のＨ−ＲＮＴＩを選択して論理チャネルタイプおよび論理チャネルＩＤを識別する実施形態１８〜２５のいずれか１つの実施形態におけるとおりのノードＢ。
【００７２】
２７．ＭＡＣ−ｈｓエンティティは、別個のＨ−ＲＮＴＩを選択して論理チャネルタイプを識別し、論理チャネルＩＤを示す論理チャネルＩＤフィールドをＭＡＣ−ｈｓ  ＰＤＵヘッダの中に挿入する実施形態１８〜２５のいずれか１つの実施形態におけるとおりのノードＢ。
【００７３】
２８．共通論理チャネルに関する論理チャネルタイプが、ＭＡＣ−ｃ／ｓｈ／ｍ  ＰＤＵヘッダの中で識別される実施形態１８〜２５のいずれか１つの実施形態におけるとおりのノードＢ。
【００７４】
２９．論理チャネルタイプと論理チャネルＩＤの少なくともいずれかが、ＭＡＣ−ｈｓ  ＰＤＵヘッダのキューＩＤフィールドによって識別される実施形態１８〜２８のいずれか１つの実施形態におけるとおりのノードＢ。
【００７５】
３０．論理チャネルタイプのグループが、キューＩＤによって示され、ＭＡＣ−ｃ／ｓｈ／ｍ  ＰＤＵヘッダの中のＴＣＴＦが、グループ化された論理チャネルタイプの或る論理チャネルタイプを示す実施形態２９のノードＢ。
【００７６】
３１．専用論理チャネルに関する論理チャネルＩＤが、Ｃ／Ｔ  Ｍｕｘフィールドによって識別される実施形態２９〜３０のいずれか１つの実施形態におけるとおりのノードＢ。
【００７７】
３２．ＭＡＣ−ｈｓ  ＰＤＵは、キューＩＤとＴＳＮの複数のペアを含む実施形態２９〜３１のいずれか１つの実施形態におけるとおりのノードＢ。
【００７８】
３３．複数の論理チャネルが、ＭＡＣ−ｈｓ  ＰＤＵの中に多重化され、複数の論理チャネルＩＤが、ＭＡＣ−ｈｓヘッダの中に含められる実施形態１８〜３２のいずれか１つの実施形態におけるとおりのノードＢ。
【００７９】
３４．論理チャネルＩＤのそれぞれに関して１つのＴＳＮが、ＭＡＣ−ｈｓヘッダの中に含められる実施形態３３のノードＢ。
【００８０】
３５．各ＵＥに関して別個のＴＳＮが使用される実施形態１８〜３４のいずれか１つの実施形態におけるとおりのノードＢ。
【００８１】
３６．ＨＳ−ＤＳＣＨを介して共通論理チャネル伝送および専用論理チャネル伝送を受信するためのＵＥ。
【００８２】
３７．専用論理チャネル伝送に関するＭＡＣ−ｄ  ＰＤＵを処理するためのＭＡＣ−ｄエンティティを含む実施形態３６のＵＥ。
【００８３】
３８．共通論理チャネル伝送に関するＭＡＣ−ｃ／ｓｈ／ｍ  ＰＤＵを処理するためのＭＡＣ−ｃ／ｓｈ／ｍエンティティを含む実施形態３６〜３７のいずれか１つの実施形態におけるとおりのＵＥ。
【００８４】
３９．ＨＳ−ＤＳＣＨを介して送信されたＭＡＣ−ｈｓ  ＰＤＵを処理するためのＭＡＣ−ｈｓエンティティを含み、ＭＡＣ−ｈｓ  ＰＤＵは、ＭＡＣ−ｃ／ｓｈ／ｍ  ＰＤＵとＭＡＣ−ｄ  ＰＤＵの少なくともいずれかを搬送する実施形態３６〜３８のいずれか１つの実施形態におけるとおりのＵＥ。
【００８５】
４０．ＭＡＣ−ｈｓエンティティは、ＭＡＣ−ｄ  ＰＤＵが、そのＵＥを宛先とすることを割り出すためにＵＥ固有のＨ−ＲＮＴＩを使用し、ＭＡＣ−ｃ／ｓｈ／ｍ  ＰＤＵが、そのＵＥを宛先とすることを割り出すためにセル固有のＨ−ＲＮＴＩを使用する実施形態３９のＵＥ。
【００８６】
４１．ＭＡＣ−ｈｓエンティティは、ＭＡＣ−ｈｓ  ＰＤＵヘッダの中の論理チャネルタイプと論理チャネルＩＤの少なくともいずれかを抽出する実施形態３９〜４０のいずれか１つの実施形態におけるとおりのＵＥ。
【００８７】
４２．ＭＡＣ−ｈｓエンティティは、別個のＨ−ＲＮＴＩを使用して、論理チャネルタイプおよび論理チャネルＩＤを識別する実施形態３９〜４１のいずれか１つの実施形態におけるとおりのＵＥ。
【００８８】
４３．ＭＡＣ−ｈｓエンティティは、Ｈ−ＲＮＴＩと、ＭＡＣ−ｈｓ  ＰＤＵヘッダの中に含まれる論理チャネル情報の両方を使用して、論理チャネルタイプおよび論理チャネルＩＤを識別する実施形態３９〜４１のいずれか１つの実施形態におけるとおりのＵＥ。
【００８９】
４４．ＭＡＣ−ｃ／ｓｈ／ｍエンティティは、ＭＡＣ−ｃ／ｓｈ／ｍ  ＰＤＵヘッダの中に含まれる情報を使用して、共通論理チャネルに関する論理チャネルタイプを識別する実施形態３９〜４３のいずれか１つの実施形態におけるとおりのＵＥ。
【００９０】
４５．ＭＡＣ−ｈｓエンティティは、ＭＡＣ−ｈｓ  ＰＤＵヘッダの中のキューＩＤフィールドを使用して、論理チャネルタイプと論理チャネルＩＤの少なくともいずれかを識別する実施形態３９〜４４のいずれか１つの実施形態におけるとおりのＵＥ。
【００９１】
４６．ＭＡＣ−ｈｓ  ＰＤＵは、キューＩＤとＴＳＮの複数のペアを含む実施形態３９〜４５のいずれか１つの実施形態におけるとおりのＵＥ。
【００９２】
４７．ＭＡＣ−ｈｓ  ＰＤＵは、論理チャネルＩＤとＴＳＮの複数のペアを含む実施形態３９〜４６のいずれか１つの実施形態におけるとおりのＵＥ。
【００９３】
４８．複数の論理チャネルが、ＭＡＣ−ｈｓ  ＰＤＵの中に多重化され、複数の論理チャネルＩＤが、ＭＡＣ−ｈｓ  ＰＤＵヘッダの中に含められる実施形態３９〜４７のいずれか１つの実施形態におけるとおりのＵＥ。
【００９４】
４９．論理チャネルＩＤのそれぞれに関して１つのＴＳＮが、ＭＡＣ−ｈｓ  ＰＤＵヘッダの中に含められる実施形態４８のＵＥ。
【００９５】
５０．ＨＳ−ＤＳＣＨを介して共通論理チャネル伝送および専用論理チャネル伝送を受信するためのＵＥ。
【００９６】
５１．専用論理チャネル伝送に関するＭＡＣ−ｄ  ＰＤＵを処理するためのＭＡＣ−ｄエンティティを含む実施形態５０のＵＥ。
【００９７】
５２．共通論理チャネル伝送に関するＭＡＣ−ｃ／ｓｈ／ｍ  ＰＤＵを処理するためのＭＡＣ−ｃ／ｓｈ／ｍエンティティを含む実施形態５０〜５１のいずれか１つの実施形態におけるとおりのＵＥ。
【００９８】
５３．ＨＳ−ＤＳＣＨを介して送信されたＭＡＣ−ｈｓ  ＰＤＵを処理するためのＭＡＣ−ｈｓエンティティを含み、ＭＡＣ−ｈｓ  ＰＤＵは、ＭＡＣ−ｃ／ｓｈ／ｍ  ＰＤＵとＭＡＣ−ｄ  ＰＤＵの少なくともいずれかを搬送する実施形態５０〜５２のいずれか１つの実施形態におけるとおりのＵＥ。
【００９９】
５４．ＵＥが、Ｃｅｌｌ＿ＦＡＣＨ状態にある場合、ＭＡＣ−ｈｓ  ＰＤＵが、そのＵＥを宛先としているかどうかを割り出すのに、セル固有のＨ−ＲＮＴＩ、およびＣ−ＲＮＴＩとＵ−ＲＮＴＩのいずれかが使用される実施形態５３のＵＥ。
【０１００】
５５．ＭＡＣ−ｈｓエンティティは、ＵＥが、Ｃｅｌｌ＿ＰＣＨ状態およびＵＲＡ＿ＰＣＨ状態にある場合、セル固有のＨ−ＲＮＴＩと一意Ｈ−ＲＮＴＩのいずれかを使用する実施形態５３〜５４のいずれか１つの実施形態におけるとおりのＵＥ。
【０１０１】
５６．ＭＡＣ−ｈｓエンティティは、ＭＡＣ−ｈｓ  ＰＤＵヘッダの中のＵＥ−ＩＤ  ＴｙｐｅフィールドおよびＵＥ−ＩＤフィールドを抽出して、ＭＡＣ−ｈｓ  ＰＤＵが、そのＵＥを宛先としているかどうかを割り出す実施形態５３〜５５のいずれか１つの実施形態におけるとおりのＵＥ。
【０１０２】
５７．ＵＥ−ＩＤ  ＴｙｐｅフィールドおよびＵＥ−ＩＤフィールドが、ＨＳ−ＳＣＣＨを介して送信される実施形態５３〜５５のいずれか１つの実施形態におけるとおりのＵＥ。
【０１０３】
５８．ＭＡＣ−ｈｓエンティティは、ＭＡＣ−ｈｓ  ＰＤＵヘッダの中の論理チャネルタイプと論理チャネルＩＤの少なくともいずれかを抽出する実施形態５３〜５７のいずれか１つの実施形態におけるとおりのＵＥ。
【０１０４】
５９．ＭＡＣ−ｈｓエンティティは、別個のＨ−ＲＮＴＩを使用して論理チャネルタイプおよび論理チャネルＩＤを識別する実施形態５３〜５８のいずれか１つの実施形態におけるとおりのＵＥ。
【０１０５】
６０．ＭＡＣ−ｈｓエンティティは、別個のＨ−ＲＮＴＩを使用して論理チャネルタイプを識別し、共通論理チャネルタイプを識別するＴＣＴＦ、および専用論理チャネルＩＤを識別するＣ／Ｔ  Ｍｕｘフィールドを抽出する実施形態５３〜５９のいずれか１つの実施形態におけるとおりのＵＥ。
【０１０６】
６１．ＭＡＣ−ｃ／ｓｈ／ｍエンティティは、ＭＡＣ−ｃ／ｓｈ／ｍ  ＰＤＵヘッダの中に含まれる情報を使用して、共通論理チャネルに関する論理チャネルタイプを識別する実施形態５３〜６０のいずれか１つの実施形態におけるとおりのＵＥ。
【０１０７】
６２．論理チャネルタイプと論理チャネルＩＤの少なくともいずれかが、ＭＡＣ−ｈｓ  ＰＤＵヘッダのキューＩＤフィールドによって識別される実施形態５３〜６１のいずれか１つの実施形態におけるとおりのＵＥ。
【０１０８】
６３．ＭＡＣ−ｈｓ  ＰＤＵは、キューＩＤとＴＳＮの複数のペアを含む実施形態５３〜６２のいずれか１つの実施形態におけるとおりのＵＥ。
【０１０９】
６４．複数の論理チャネルが、ＭＡＣ−ｈｓ  ＰＤＵの中に多重化され、複数の論理チャネルＩＤが、ＭＡＣ−ｈｓヘッダの中に含められる実施形態５３〜６３のいずれか１つの実施形態におけるとおりのＵＥ。
【０１１０】
６５．論理チャネルＩＤのそれぞれに関して１つのＴＳＮが、ＭＡＣ−ｈｓヘッダの中に含められる実施形態６４のＵＥ。
【０１１１】
６６．各ＵＥに関して別個のＴＳＮが使用される実施形態５３〜６５のいずれか１つの実施形態におけるとおりのＵＥ。
【０１１２】
６７．ＨＳ−ＤＳＣＨを介して共通論理チャネル伝送および専用論理チャネル伝送を送信するための方法。
【０１１３】
６８．共通論理チャネルＳＤＵに関するＭＡＣ−ｃ／ｓｈ／ｍ  ＰＤＵと、専用論理チャネルＳＤＵに関するＭＡＣ−ｄ  ＰＤＵの少なくともいずれかを搬送するＭＡＣ−ｈｓ  ＰＤＵを生成することを含む実施形態６７の方法。
【０１１４】
６９．ＨＳ−ＤＳＣＨを介してＭＡＣ−ｈｓ  ＰＤＵを送信することを含み、ＵＥ固有のＨ−ＲＮＴＩが、ＭＡＣ−ｄ  ＰＤＵが宛先とするＵＥを識別するために使用され、さらに、ＭＡＣ−ｃ／ｓｈ／ｍ  ＰＤＵが宛先とするＵＥを識別するためにセル固有のＨ−ＲＮＴＩを使用することを含む実施形態６８の方法。
【０１１５】
７０．論理チャネルタイプと論理チャネルＩＤの少なくともいずれかが、ＭＡＣ−ｈｓ  ＰＤＵヘッダの中に挿入される実施形態６８〜６９のいずれか１つの実施形態におけるとおりの方法。
【０１１６】
７１．複数の論理チャネルが、１つのＭＡＣ−ｈｓ  ＰＤＵの中に多重化され、複数の論理チャネルタイプ、および複数の論理チャネルＩＤが、ＭＡＣ−ｈｓ  ＰＤＵヘッダの中に挿入される実施形態６８〜７０のいずれか１つの実施形態におけるとおりの方法。
【０１１７】
７２．別個のＨ−ＲＮＴＩを使用して、論理チャネルタイプおよび論理チャネルＩＤが識別される実施形態７１の方法。
【０１１８】
７３．別個のＨ−ＲＮＴＩを使用して、論理チャネルタイプが或る程度、識別され、ＴＣＴＦおよびＣ／Ｔ  Ｍｕｘフィールドを使用して、論理チャネルタイプおよび論理チャネルＩＤが明確に識別される実施形態７１の方法。
【０１１９】
７４．共通論理チャネルに関する論理チャネルタイプが、ＭＡＣ−ｃ／ｓｈ／ｍ  ＰＤＵヘッダの中で識別される実施形態６８〜７３のいずれか１つの実施形態におけるとおりの方法。
【０１２０】
７５．論理チャネルタイプと論理チャネルＩＤの少なくともいずれかが、ＭＡＣ−ｈｓ  ＰＤＵヘッダのキューＩＤフィールドによって識別される実施形態６８〜７３のいずれか１つの実施形態におけるとおりの方法。
【０１２１】
７６．論理チャネルＩＤのそれぞれに関して１つのＴＳＮが、ＭＡＣ−ｈｓヘッダの中に含められる実施形態６８〜７５のいずれか１つの実施形態におけるとおりの方法。
【０１２２】
７７．ＭＡＣ−ｈｓ  ＰＤＵは、キューＩＤとＴＳＮの複数のペアを含む実施形態６８〜７６のいずれか１つの実施形態におけるとおりの方法。
【０１２３】
７８．複数の論理チャネルが、ＭＡＣ−ｈｓ  ＰＤＵの中に多重化され、複数の論理チャネルＩＤが、ＭＡＣ−ｈｓヘッダの中に含められる実施形態６８〜７７のいずれか１つの実施形態におけるとおりの方法。
【０１２４】
７９．論理チャネルＩＤのそれぞれに関して１つのＴＳＮが、ＭＡＣ−ｈｓヘッダの中に含められる実施形態７８の方法。
【０１２５】
８０．ＨＳ−ＤＳＣＨを介して共通論理チャネル伝送および専用論理チャネル伝送を送信するための方法。
【０１２６】
８１．共通論理チャネルＳＤＵに関するＭＡＣ−ｃ／ｓｈ／ｍ  ＰＤＵと、専用論理チャネルＳＤＵに関するＭＡＣ−ｄ  ＰＤＵの少なくともいずれかを搬送するＭＡＣ−ｈｓ  ＰＤＵを生成することを含む実施形態８０の方法。
【０１２７】
８２．ＨＳ−ＤＳＣＨを介してＭＡＣ−ｈｓ  ＰＤＵを送信することを含み、ＵＥが、Ｃｅｌｌ＿ＦＡＣＨ状態にある場合、セル固有のＨ−ＲＮＴＩ、およびＣ−ＲＮＴＩとＵ−ＲＮＴＩのいずれかが、ＭＡＣ−ｈｓ  ＰＤＵが宛先とするＵＥを識別するために使用される実施形態８１の方法。
【０１２８】
８３．ＵＥが、Ｃｅｌｌ＿ＰＣＨ状態およびＵＲＡ＿ＰＣＨ状態にある場合、セル固有のＨ−ＲＮＴＩと一意Ｈ−ＲＮＴＩのいずれかが、使用される実施形態８１〜８２のいずれか１つの実施形態におけるとおりの方法。
【０１２９】
８４．ＵＥ−ＩＤ  ＴｙｐｅフィールドおよびＵＥ−ＩＤフィールドが、ＭＡＣ−ｈｓ  ＰＤＵヘッダの中に挿入される実施形態８１〜８３のいずれか１つの実施形態におけるとおりの方法。
【０１３０】
８５．ＵＥ−ＩＤ  ＴｙｐｅフィールドおよびＵＥ−ＩＤフィールドが、ＨＳ−ＳＣＣＨを介して送信される実施形態８１〜８３のいずれか１つの実施形態におけるとおりの方法。
【０１３１】
８６．論理チャネルタイプと論理チャネルＩＤの少なくともいずれかが、ＭＡＣ−ｈｓ  ＰＤＵヘッダの中に挿入される実施形態８１〜８５のいずれか１つの実施形態におけるとおりの方法。
【０１３２】
８７．別個のＨ−ＲＮＴＩを使用して、論理チャネルタイプおよび論理チャネルＩＤが識別される実施形態８１〜８６のいずれか１つの実施形態におけるとおりの方法。
【０１３３】
８８．別個のＨ−ＲＮＴＩを使用して、論理チャネルタイプが或る程度、識別され、ＴＣＴＦおよびＣ／Ｔ  Ｍｕｘフィールドを使用して、論理チャネルタイプおよび論理チャネルＩＤが識別される実施形態８１〜８７のいずれか１つの実施形態におけるとおりの方法。
【０１３４】
８９．共通論理チャネルに関する論理チャネルタイプが、ＭＡＣ−ｃ／ｓｈ／ｍ  ＰＤＵヘッダの中で識別される実施形態８１〜８８のいずれか１つの実施形態におけるとおりの方法。
【０１３５】
９０．論理チャネルタイプと論理チャネルＩＤの少なくともいずれかが、ＭＡＣ−ｈｓ  ＰＤＵヘッダのキューＩＤフィールドによって識別される実施形態８１〜８９のいずれか１つの実施形態におけるとおりの方法。
【０１３６】
９１．各ＵＥに関して別個のＴＳＮが使用される実施形態８１〜９０のいずれか１つの実施形態におけるとおりの方法。
【０１３７】
９２．ＭＡＣ−ｈｓ  ＰＤＵは、キューＩＤとＴＳＮの複数のペアを含む実施形態８１〜９１のいずれか１つの実施形態におけるとおりの方法。
【０１３８】
９３．複数の論理チャネルが、ＭＡＣ−ｈｓ  ＰＤＵの中に多重化され、複数の論理チャネルＩＤが、ＭＡＣ−ｈｓヘッダの中に含められる実施形態８１〜９２のいずれか１つの実施形態におけるとおりの方法。
【０１３９】
９４．論理チャネルＩＤのそれぞれに関して１つのＴＳＮが、ＭＡＣ−ｈｓヘッダの中に含められる実施形態９３の方法。
【０１４０】
９５．ＨＳ−ＤＳＣＨを介して共通論理チャネル伝送と専用論理チャネル伝送の少なくともいずれかを受信するための方法。
【０１４１】
９６．ＨＳ−ＤＳＣＨを介してＭＡＣ−ｈｓ  ＰＤＵを受信することを含み、ＭＡＣ−ｈｓ  ＰＤＵは、ＭＡＣ−ｃ／ｓｈ／ｍ  ＰＤＵとＭＡＣ−ｄ  ＰＤＵの少なくともいずれかを搬送する実施形態９５の方法。
【０１４２】
９７．ＵＥ固有のＨ−ＲＮＴＩを使用して、ＭＡＣ−ｄ  ＰＤＵが、そのＵＥを宛先としているかどうかを検出し、セル固有のＨ−ＲＮＴＩを使用して、ＭＡＣ−ｃ／ｓｈ／ｍ  ＰＤＵが、そのＵＥを宛先としているかどうかを検出することを含む実施形態９６の方法。
【０１４３】
９８．ＭＡＣ−ｈｓ  ＰＤＵを、同一の並べ替えキューに属する並べ替えＳＤＵのグループに分解することをさらに含む実施形態９７の方法。
【０１４４】
９９．並べ替えのために並べ替えキューに並べ替えＳＤＵのグループを分配することをさらに含む実施形態９８の方法。
【０１４５】
１００．並べ替えが実行された後、並べ替えＳＤＵの連結されたグループを完全なＭＡＣ−ｈｓ  ＳＤＵ、またはＭＡＣ−ｈｓ  ＳＤＵセグメントに分解することをさらに含む実施形態９９の方法。
【０１４６】
１０１．ＭＡＣ−ｈｓ  ＳＤＵセグメントを完全なＭＡＣ−ｈｓ  ＳＤＵに再組み立てすることをさらに含む実施形態１００の方法。
【０１４７】
１０２．ＭＡＣ−ｈｓヘッダの中の論理チャネル識別子に基づいて、完全なＭＡＣ−ｈｓ  ＳＤＵを逆多重化することをさらに含む実施形態１０１の方法。
【０１４８】
１０３．論理チャネルタイプと論理チャネルＩＤの少なくともいずれかが、ＭＡＣ−ｈｓ  ＰＤＵヘッダの中の情報を使用して抽出される実施形態９６〜１０２のいずれか１つの実施形態におけるとおりの方法。
【０１４９】
１０４．論理チャネルタイプおよび論理チャネルＩＤが、別個のＨ−ＲＮＴＩを使用して検出される実施形態９６〜１０３のいずれか１つの実施形態におけるとおりの方法。
【０１５０】
１０５．論理チャネルタイプおよび論理チャネルＩＤが、Ｈ−ＲＮＴＩと、ＭＡＣ−ｈｓ  ＰＤＵヘッダの中に含まれる情報の両方を使用して検出される実施形態９６〜１０４のいずれか１つの実施形態におけるとおりの方法。
【０１５１】
１０６．共通論理チャネルに関する論理チャネルタイプが、ＭＡＣ−ｃ／ｓｈ／ｍ  ＰＤＵヘッダの中に含まれる情報を使用して識別される実施形態９６〜１０５のいずれか１つの実施形態におけるとおりの方法。
【０１５２】
１０７．論理チャネルタイプと論理チャネルＩＤの少なくともいずれかが、ＭＡＣ−ｈｓ  ＰＤＵヘッダの中のキューＩＤフィールドを使用して識別される実施形態９６〜１０６のいずれか１つの実施形態におけるとおりの方法。
【０１５３】
１０８．ＨＳ−ＤＳＣＨを介して共通論理チャネル伝送および専用論理チャネル伝送を受信するための方法。
【０１５４】
１０９．ＨＳ−ＤＳＣＨを介してＭＡＣ−ｈｓ  ＰＤＵを受信することを含み、ＭＡＣ−ｈｓ  ＰＤＵは、ＭＡＣ−ｃ／ｓｈ／ｍ  ＰＤＵとＭＡＣ−ｄ  ＰＤＵの少なくともいずれかを搬送する実施形態１０８の方法。
【０１５５】
１１０．ＵＥが、Ｃｅｌｌ＿ＦＡＣＨ状態にある場合、セル固有のＨ−ＲＮＴＩ、およびＣ−ＲＮＴＩとＵ−ＲＮＴＩのいずれかを使用して、ＭＡＣ−ｈｓ  ＰＤＵが、そのＵＥを宛先としているかどうかを検出することを含む実施形態１０９の方法。
【０１５６】
１１１．ＭＡＣ−ｈｓ  ＰＤＵを、同一の並べ替えキューに属する並べ替えＳＤＵのグループに分解することをさらに含む実施形態１１０の方法。
【０１５７】
１１２．並べ替えのために並べ替えキューに並べ替えＳＤＵのグループを分配することをさらに含む実施形態１１１の方法。
【０１５８】
１１３．並べ替えが実行された後、並べ替えＳＤＵの連結されたグループを完全なＭＡＣ−ｈｓ  ＳＤＵ、またはＭＡＣ−ｈｓ  ＳＤＵセグメントに分解することをさらに含む実施形態１１２の方法。
【０１５９】
１１４．ＭＡＣ−ｈｓ  ＳＤＵセグメントを完全なＭＡＣ−ｈｓ  ＳＤＵに再組み立てすることをさらに含む実施形態１１３の方法。
【０１６０】
１１５．ＭＡＣ−ｈｓヘッダの中の論理チャネル識別子に基づいて、完全なＭＡＣ−ｈｓ  ＳＤＵを逆多重化することをさらに含む実施形態１１４の方法。
【０１６１】
１１６．ＵＥが、Ｃｅｌｌ＿ＰＣＨ状態およびＵＲＡ＿ＰＣＨ状態にある場合、セル固有のＨ−ＲＮＴＩと一意Ｈ−ＲＮＴＩのいずれかが、使用される実施形態１１０〜１１５のいずれか１つの実施形態におけるとおりの方法。
【０１６２】
１１７．ＭＡＣ−ｈｓ  ＰＤＵヘッダの中のＵＥ−ＩＤ  ＴｙｐｅフィールドおよびＵＥ−ＩＤフィールドが抽出されて、ＭＡＣ−ｈｓ  ＰＤＵが、そのＵＥを宛先としているかどうかが割り出される実施形態１１０〜１１６のいずれか１つの実施形態におけるとおりの方法。
【０１６３】
１１８．ＵＥ−ＩＤ  ＴｙｐｅフィールドおよびＵＥ−ＩＤフィールドが、ＨＳ−ＳＣＣＨを介して送信される実施形態１１０〜１１６のいずれか１つの実施形態におけるとおりの方法。
【０１６４】
１１９．ＭＡＣ−ｈｓ  ＰＤＵヘッダの中で論理チャネルタイプと論理チャネルＩＤの少なくともいずれかが、抽出される実施形態１１０〜１１８のいずれか１つの実施形態におけるとおりの方法。
【０１６５】
１２０．別個のＨ−ＲＮＴＩを使用して、論理チャネルタイプおよび論理チャネルＩＤが識別される実施形態１１０〜１１９のいずれか１つの実施形態におけるとおりの方法。
【０１６６】
１２１．別個のＨ−ＲＮＴＩを使用して、論理チャネルタイプが或る程度、識別され、ＴＣＴＦおよびＣ／Ｔ  Ｍｕｘフィールドを使用して、論理チャネルＩＤが明確に識別される実施形態１１０〜１２０のいずれか１つの実施形態におけるとおりの方法。
【０１６７】
１２２．共通論理チャネルに関する論理チャネルタイプが、ＭＡＣ−ｃ／ｓｈ／ｍ  ＰＤＵヘッダの中に含まれる情報を使用して識別される実施形態１１０〜１２１のいずれか１つの実施形態におけるとおりの方法。
【０１６８】
１２３．論理チャネルタイプと論理チャネルＩＤの少なくともいずれかが、ＭＡＣ−ｈｓ  ＰＤＵヘッダのキューＩＤフィールドによって識別される実施形態１１０〜１２２のいずれか１つの実施形態におけるとおりの方法。
【０１６９】
実施形態における特徴および要素は、特定の組合せで説明されるものの、各特徴または各要素は、その他の特徴および要素なしに単独で使用されてもよく、あるいは他の特徴および要素とともに、または他の特徴および要素なしに様々な組合せで使用されてもよい。与えられる方法または流れ図は、汎用コンピュータまたはプロセッサによって実行されるようにコンピュータ可読記憶媒体として実体化されたコンピュータプログラム、ソフトウェア、またはファームウェアとして実施されることが可能である。コンピュータ可読記憶媒体の例には、ＲＯＭ（読み取り専用メモリ）、ＲＡＭ（ランダムアクセスメモリ）、レジスタ、キャッシュメモリ、半導体メモリデバイス、内部ハードディスクやリムーバブルディスクなどの磁気媒体、光磁気媒体、ならびにＣＤ−ＲＯＭディスクやＤＶＤ（デジタルバーサタイルディスク）などの光媒体が含まれる。
【０１７０】
適切なプロセッサには、例として、汎用プロセッサ、専用プロセッサ、従来のプロセッサ、ＤＳＰ（デジタルシグナルプロセッサ）、複数のマイクロプロセッサ、ＤＳＰコアに関連する１つまたは複数のマイクロプロセッサ、コントローラ、マイクロコントローラ、ＡＳＩＣ（特定用途向け集積回路）、ＦＰＧＡ（フィールドプログラマブルゲートアレイ）回路、他の任意のタイプのＩＣ（集積回路）、および／または状態マシンが含まれる。
【０１７１】
ソフトウェアに関連するプロセッサが、ＷＴＲＵ（無線送受信ユニット）、ＵＥ（ユーザ機器）、端末装置、基地局、ＲＮＣ（無線ネットワークコントローラ）、または任意のホストコンピュータにおいて使用するための無線周波数トランシーバを実施するように使用されることが可能である。ＵＥは、カメラ、ビデオカメラモジュール、テレビ電話機、スピーカフォン、振動デバイス、スピーカ、マイクロホン、テレビトランシーバ、ハンズフリーヘッドセット、キーボード、Ｂｌｕｅｔｏｏｔｈ（登録商標）モジュール、ＦＭ（周波数変調）無線ユニット、ＬＣＤ（液晶ディスプレイ）ディスプレイユニット、ＯＬＥＤ（有機発光ダイオード）ディスプレイユニット、デジタル音楽プレーヤ、メディアプレーヤ、ビデオゲームプレーヤモジュール、インターネットブラウザ、および／または任意のＷＬＡＮ（無線ローカルエリアネットワーク）モジュールなどの、ハードウェアおよび／またはソフトウェアとして実施されるモジュールと連携して使用されることが可能である。
【図１】
2010516087.tif 000003
【図２】
2010516087.tif 000004
【図３】
2010516087.tif 000005
【図４】
2010516087.tif 000006
【図５】
2010516087.tif 000007
【図６】
2010516087.tif 000008
【図７】
2010516087.tif 000009
【図８】
2010516087.tif 000010
【図９】
2010516087.tif 000011
【図１０】
2010516087.tif 000012
【図１１】
2010516087.tif 000013
【手続補正書】
【提出日】平成21年9月7日(2009.9.7)
【手続補正１】
【補正対象書類名】特許請求の範囲
【補正対象項目名】全文
【補正方法】変更
【補正の内容】
【特許請求の範囲】
【請求項１】
ＨＳ−ＤＳＣＨ（高速ダウンリンク共有チャネル）を介して共通論理チャネル伝送および専用論理チャネル伝送を受信するためのＵＥ（ユーザ機器）であって、
専用論理チャネル伝送に関するＭＡＣ（媒体アクセス制御）−ｄ  ＰＤＵ（プロトコルデータユニット）を処理するためのＭＡＣ−ｄエンティティと、
共通論理チャネル伝送に関するＭＡＣ−ｃ／ｓｈ／ｍ  ＰＤＵを処理するためのＭＡＣ−ｃ／ｓｈ／ｍエンティティと、
前記ＨＳ−ＤＳＣＨを介して送信され、前記ＭＡＣ−ｃ／ｓｈ／ｍ  ＰＤＵと前記ＭＡＣ−ｄ  ＰＤＵの少なくともいずれかを搬送するＭＡＣ−ｈｓ  ＰＤＵを処理するためのエンティティであって、前記ＭＡＣ−ｄ  ＰＤＵが、前記ＵＥを宛先としていることを割り出すためにＵＥ固有のＨ−ＲＮＴＩ（ＨＳ−ＤＳＣＨ無線ネットワーク一時識別子）を使用し、前記ＭＡＣ−ｃ／ｓｈ／ｍ  ＰＤＵが、前記ＵＥを宛先としていることを割り出すためにセル固有のＨ−ＲＮＴＩを使用するＭＡＣ−ｈｓエンティティと
を含むことを特徴とするＵＥ。
【請求項２】
前記ＭＡＣ−ｈｓエンティティは、ＭＡＣ−ｈｓ  ＰＤＵヘッダの中の論理チャネルタイプと論理チャネルＩＤの少なくともいずれかを抽出することを特徴とする請求項１に記載のＵＥ。
【請求項３】
前記ＭＡＣ−ｈｓエンティティは、別個のＨ−ＲＮＴＩを使用して論理チャネルタイプおよび論理チャネルＩＤを識別することを特徴とする請求項１に記載のＵＥ。
【請求項４】
前記ＭＡＣ−ｈｓエンティティは、Ｈ−ＲＮＴＩと、ＭＡＣ−ｈｓ  ＰＤＵヘッダの中に含まれる論理チャネル情報の両方を使用して、論理チャネルタイプおよび論理チャネルＩＤを識別することを特徴とする請求項１に記載のＵＥ。
【請求項５】
前記ＭＡＣ−ｃ／ｓｈ／ｍエンティティは、ＭＡＣ−ｃ／ｓｈ／ｍ  ＰＤＵヘッダの中に含まれる情報を使用して、前記共通論理チャネルに関する論理チャネルタイプを識別することを特徴とする請求項１に記載のＵＥ。
【請求項６】
前記ＭＡＣ−ｈｓエンティティは、ＭＡＣ−ｈｓ  ＰＤＵヘッダの中のキューＩＤ（アイデンティティ）フィールドを使用して、論理チャネルタイプと論理チャネルＩＤの少なくともいずれかを識別することを特徴とする請求項１に記載のＵＥ。
【請求項７】
前記ＭＡＣ−ｈｓ  ＰＤＵは、キューＩＤ（アイデンティティ）とＴＳＮ（伝送シーケンス番号）の複数のペアを含むことを特徴とする請求項１に記載のＵＥ。
【請求項８】
前記ＭＡＣ−ｈｓ  ＰＤＵは、論理チャネルＩＤとＴＳＮ（伝送シーケンス番号）の複数のペアを含むことを特徴とする請求項１に記載のＵＥ。
【請求項９】
ＨＳ−ＤＳＣＨ（高速ダウンリンク共有チャネル）を介して共通論理チャネル伝送および専用論理チャネル伝送の少なくともいずれかを受信するための方法であって、
ＨＳ−ＤＳＣＨを介して、ＭＡＣ（媒体アクセス制御）−ｃ／ｓｈ／ｍ  ＰＤＵ（プロトコルデータユニット）とＭＡＣ−ｄ  ＰＤＵの少なくともいずれかを搬送するＭＡＣ−ｈｓ  ＰＤＵを受信すること、および
ＵＥ（ユーザ機器）固有のＨ−ＲＮＴＩ（ＨＳ−ＤＳＣＨ無線ネットワーク一時識別子）を使用して、前記ＭＡＣ−ｄ  ＰＤＵが前記ＵＥを宛先としているかどうかを検出し、セル固有のＨ−ＲＮＴＩを使用して、前記ＭＡＣ−ｃ／ｓｈ／ｍ  ＰＤＵが前記ＵＥを宛先としているかどうかを検出すること
を含むことを特徴とする方法。
【請求項１０】
前記ＭＡＣ−ｈｓ  ＰＤＵを、同一の並べ替えキューに属する並べ替えＳＤＵのグループに分解することをさらに含むことを特徴とする請求項９に記載の方法。
【請求項１１】
並べ替えのために並べ替えキューに並べ替えＳＤＵの前記グループを分配することをさらに含むことを特徴とする請求項１０に記載の方法。
【請求項１２】
並べ替えが実行された後、並べ替えＳＤＵの連結されたグループを完全なＭＡＣ−ｈｓ  ＳＤＵ、またはＭＡＣ−ｈｓ  ＳＤＵセグメントに分解することをさらに含むことを特徴とする請求項１１に記載の方法。
【請求項１３】
論理チャネルタイプと論理チャネルＩＤの少なくともいずれかが、ＭＡＣ−ｈｓ  ＰＤＵヘッダの中の情報を使用して抽出されることを特徴とする請求項９に記載の方法。
【請求項１４】
論理チャネルタイプおよび論理チャネルＩＤが、別個のＨ−ＲＮＴＩを使用して検出されることを特徴とする請求項９に記載の方法。
【請求項１５】
論理チャネルタイプおよび論理チャネルＩＤが、Ｈ−ＲＮＴＩと、ＭＡＣ−ｈｓ  ＰＤＵヘッダの中に含まれる情報の両方を使用して検出されることを特徴とする請求項９に記載の方法。
【国際調査報告】
2010516087.tif 000014
2010516087.tif 000015
2010516087.tif 000016